(57)【要約】  本発明は、マルチメディア情報再生方法及びシステム、ならびに標準化サーバ及びライブストリーミング端末を提供し、ネットワーク技術分野に関する。該方法は、ｎ個の収集デバイスによりそれぞれ送信されたｎ個のマルチメディア情報を受信し、個々のマルチメディア情報は、対応する収集デバイスにより周囲の環境情報を収集して得られるものであることと、ライブストリーミング端末により送信された選択命令を受信することと、選択命令に従い、ｎ個のマルチメディア情報から初期マルチメディア情報を選択することと、再生端末が初期マルチメディア情報を再生することを有利にするために、再生端末に初期マルチメディア情報を送信することと、を含む。本発明は、マルチメディア情報の再生効果が悪いという課題を解決し、マルチメディア情報の再生効果を向上させ、本発明は、マルチメディア情報の再生に用いられる。
2019503091.tif 000002
【特許請求の範囲】
【請求項１】
マルチメディア情報再生方法であって、マルチメディア情報再生システム内の標準化サーバに用いられ、前記マルチメディア情報再生システムは、ｎ個の収集デバイス、前記標準化サーバ、ライブストリーミング端末及び再生端末を含み、前記ｎは２以上の整数であり、前記方法は、
前記ｎ個の収集デバイスによりそれぞれ送信されたｎ個のマルチメディア情報を受信することと、
前記ライブストリーミング端末により送信された選択命令を受信することと、
前記選択命令に従い、前記ｎ個のマルチメディア情報から初期マルチメディア情報を選択することと、
前記再生端末が前記初期マルチメディア情報を再生することを有利にするために、前記再生端末に前記初期マルチメディア情報を送信することと、
を含み、個々の前記マルチメディア情報は、対応する収集デバイスにより周囲の環境情報を収集して得られるものであることを特徴とする、前記マルチメディア情報再生方法。
【請求項２】
前記マルチメディア情報再生方法はさらに、
前記ライブストリーミング端末により送信された切り替え命令を受信することと、
前記切り替え命令に従い、前記ｎ個のマルチメディア情報からターゲットマルチメディア情報を選択することと、
前記再生端末が前記ターゲットマルチメディア情報を再生することを有利にするために、前記再生端末に送信するマルチメディア情報を、前記初期マルチメディア情報から前記ターゲットマルチメディア情報に切り替えて、前記再生端末に前記ターゲットマルチメディア情報を送信することと、
を含むことを特徴とする請求項１に記載のマルチメディア情報再生方法。
【請求項３】
前記標準化サーバは少なくとも三つのネットワークアドレスを備え、前記マルチメディア情報再生方法はさらに、
前記ライブストリーミング端末からの、収集デバイスの数であるｎが含まれているライブストリーミングリクエストを受信することと、
前記標準化サーバの少なくとも三つのネットワークアドレスの中から、ｎ個の第１ネットワークアドレスと１個の第２ネットワークアドレスをそれぞれ選択し、前記ｎ個の第１ネットワークアドレス及び前記第２ネットワークアドレスが、前記標準化サーバ内の異なる記憶モジュールをそれぞれ指示していることと、
前記ライブストリーミング端末が前記ｎ個の第１ネットワークアドレスを前記ｎ個の収集デバイスにそれぞれ送信することを有利にするために、前記ライブストリーミング端末に前記ｎ個の第１ネットワークアドレスを送信することと、
前記ｎ個の収集デバイスにより送信されたｎ個のマルチメディア情報を受信することと、
を含み、
前記ｎ個の収集デバイスにより送信されたｎ個のマルチメディア情報を受信することは、
前記ｎ個の収集デバイスにより、前記ｎ個の第１ネットワークアドレスに基づいて、それぞれ送信されたマルチメディア情報を受信すること、
を含むことを特徴とする、請求項１に記載のマルチメディア情報再生方法。
【請求項４】
前記マルチメディア情報再生方法はさらに、
前記ｎ個のマルチメディア情報を、前記ｎ個の第１ネットワークアドレスに指示されている記憶モジュール中に、それぞれ記憶することと、
前記ｎ個のマルチメディア情報に対して第１標準化処理を行い、第１標準化処理後のｎ個のマルチメディア情報のパラメータが、前記ライブストリーミング端末の再生パラメータと一致していることと、
前記ライブストリーミング端末が前記第１標準化処理後のｎ個のマルチメディア情報を同時に再生して、ユーザの操作によって前記選択命令を生成することを有利にするために、前記第１標準化処理後のｎ個のマルチメディア情報を前記ライブストリーミング端末に送信することと、
を含むことを特徴とする請求項３に記載のマルチメディア情報再生方法。
【請求項５】
前記マルチメディア情報再生方法はさらに、
前記初期マルチメディア情報に対して第２標準化処理を行い、第２標準化処理後の初期マルチメディア情報のパラメータが前記再生端末の再生パラメータと一致していることと、
第２標準化処理後の初期マルチメディア情報を、前記第２ネットワークアドレスに指示されている記憶モジュールに記憶することと、
前記再生端末からの、前記第２ネットワークアドレスが含まれている再生リクエストを受信することと、
前記再生端末に前記初期マルチメディア情報を送信することと、
を含み、
前記再生端末に前記初期マルチメディア情報を送信することは、
前記第２ネットワークアドレスに指示されている記憶モジュールから、前記第２標準化処理後の初期マルチメディア情報を取得することと、
ライブストリーミングデリバリメカニズムとコンテンツデリバリネットワーク（ＣＤＮ）メカニズムを用いて、前記第２標準化処理後の初期マルチメディア情報を前記再生端末に送信することと、
を含むことを特徴とする請求項３に記載のマルチメディア情報再生方法。
【請求項６】
個々の前記収集デバイスにより収集されたマルチメディア情報のフォーマットは、いずれも高解像度のマルチメディアインターフェース（ＨＤＭＩ）フォーマット、又はシリアルデジタルインタフェース（ＳＤＩ）フォーマットである
ことを特徴とする請求項１に記載のマルチメディア情報再生方法。
【請求項７】
前記ｎ個の収集デバイスによりそれぞれ送信されたｎ個のマルチメディア情報を受信することは、
リアルタイムメッセージ伝送プロトコル（ＲＴＭＰ）に基づいて、前記ｎ個の収集デバイスによりそれぞれ送信されたｎ個のマルチメディア情報を受信すること、
を含むことを特徴とする請求項１に記載のマルチメディア情報再生方法。
【請求項８】
マルチメディア情報再生方法であって、マルチメディア情報再生システム内のライブストリーミング端末に用いられ、前記マルチメディア情報再生システムは、ｎ個の収集デバイス、標準化サーバ、前記ライブストリーミング端末及び再生端末を含み、前記ｎは２以上の整数であり、前記方法は、
ユーザの第１操作によって選択命令を生成することと、
前記標準化サーバが、前記選択命令に従ってｎ個の収集デバイスにより収集されたｎ個のマルチメディア情報から初期マルチメディア情報を選択して、前記再生端末に前記初期マルチメディア情報を送信することを有利にするために、前記標準化サーバに選択命令を送信することと、
を含むことを特徴とする、前記マルチメディア情報再生方法。
【請求項９】
前記マルチメディア情報再生方法はさらに、
ユーザの第２操作によって切り替え命令を生成することと、
前記標準化サーバが前記切り替え命令に従って、前記再生端末に送信するマルチメディア情報を、前記初期マルチメディア情報から前記ターゲットマルチメディア情報に切り替えることを有利にするために、前記標準化サーバに切り替え命令を送信することと、
を含むことを特徴とする請求項８に記載のマルチメディア情報再生方法。
【請求項１０】
前記標準化サーバが少なくとも三つのネットワークアドレスを備え、前記マルチメディア情報再生方法はさらに、
前記標準化サーバが前記標準化サーバの少なくとも三つのネットワークアドレスの中からｎ個の第１ネットワークアドレスと１個の第２ネットワークアドレスをそれぞれ選択することを有利にするために、前記標準化サーバに選択命令を送信する前に、前記標準化サーバに収集デバイスの数であるｎが含まれているライブストリーミングリクエストを送信することと、
前記標準化サーバにより送信されたｎ個の第１ネットワークアドレスを受信することと、
前記ｎ個の収集デバイスの中の個々の収集デバイスがマルチメディア情報を収集してから、受信された第１ネットワークアドレスに基づいて、前記標準化サーバにマルチメディア情報を送信することを有利にするために、前記ｎ個の収集デバイスに前記ｎ個の第１ネットワークアドレスをそれぞれ送信することと、
を含むことを特徴とする請求項８に記載のマルチメディア情報再生方法。
【請求項１１】
前記マルチメディア情報再生方法はさらに、
前記標準化サーバにより送信された第１標準化処理後のｎ個のマルチメディア情報を受信し、前記ｎ個のマルチメディア情報が、前記ｎ個の第１ネットワークアドレスに指示されているｎ個の記憶モジュールにそれぞれ記憶されることと、
ユーザインターフェースで、前記第１標準化処理後のｎ個のマルチメディア情報を同期して再生することと、
を含むことを特徴とする請求項１０に記載のマルチメディア情報再生方法。
【請求項１２】
前記ｎ個の収集デバイスの中の個々の収集デバイスにより収集されたマルチメディア情報のフォーマットは、いずれもＨＤＭＩフォーマット又はＳＤＩフォーマットである
ことを特徴とする請求項８に記載のマルチメディア情報再生方法。
【請求項１３】
標準化サーバであって、前記標準化サーバがマルチメディア情報再生システムに属し、前記マルチメディア情報再生システムはさらに、ｎ個の収集デバイス、ライブストリーミング端末及び再生端末を含み、前記ｎは２以上の整数であり、前記標準化サーバは、
前記ｎ個の収集デバイスによりそれぞれ送信されたｎ個のマルチメディア情報を受信するように構成される第１受信モジュールと、
前記ライブストリーミング端末により送信された選択命令を受信するように構成される第２受信モジュールと、
前記選択命令に従って、前記ｎ個のマルチメディア情報から初期マルチメディア情報を選択するように構成される第１選択モジュールと、
前記再生端末が前記初期マルチメディア情報を再生することを有利にするために、前記再生端末に前記初期マルチメディア情報を送信するように構成される第１送信モジュールと、
を含み、個々の前記マルチメディア情報は、対応する収集デバイスにより周囲の環境情報を収集して得られるものであることを特徴とする、前記標準化サーバ。
【請求項１４】
前記標準化サーバはさらに、
前記ライブストリーミング端末により送信された切り替え命令を受信するように構成される第３受信モジュールと、
前記切り替え命令に従って、前記ｎ個のマルチメディア情報からターゲットマルチメディア情報を選択するように構成される第２選択モジュールと、
前記再生端末が前記ターゲットマルチメディア情報を再生することを有利にするために、前記再生端末に送信するマルチメディア情報を、前記初期マルチメディア情報から前記ターゲットマルチメディア情報に切り替えて、前記再生端末に前記ターゲットマルチメディア情報を送信するように構成される切り替えモジュールと、
を含むことを特徴とする請求項１３に記載の標準化サーバ。
【請求項１５】
前記標準化サーバは少なくとも三つのネットワークアドレスを備え、前記標準化サーバはさらに、
前記ライブストリーミング端末からの、収集デバイスの数であるｎが含まれているライブストリーミングリクエストを受信する第４受信モジュールと、
前記標準化サーバの少なくとも三つのネットワークアドレスの中から、ｎ個の第１ネットワークアドレスと１個の第２ネットワークアドレスをそれぞれ選択し、前記ｎ個の第１ネットワークアドレス及び前記第２ネットワークアドレスが前記標準化サーバ内の異なる記憶モジュールをそれぞれ指示しているように構成される第３選択モジュールと、
前記ライブストリーミング端末が前記ｎ個の第１ネットワークアドレスを前記ｎ個の収集デバイスにそれぞれ送信することを有利にするために、前記ライブストリーミング端末に前記ｎ個の第１ネットワークアドレスを送信するように構成される第２送信モジュールと、
前記ｎ個の収集デバイスにより前記ｎ個の第１ネットワークアドレスに基づいてそれぞれ送信されたマルチメディア情報を受信するようにさらに構成される前記第１受信モジュールと、
を含むことを特徴とする請求項１３に記載の標準化サーバ。
【請求項１６】
前記標準化サーバはさらに、
前記ｎ個のマルチメディア情報を、前記ｎ個の第１ネットワークアドレスに指示されている記憶モジュールに、それぞれ記憶するように構成される第１記憶モジュールと、
前記ｎ個のマルチメディア情報に対して第１標準化処理を行い、第１標準化処理後のｎ個のマルチメディア情報のパラメータが前記ライブストリーミング端末の再生パラメータと一致するように構成される第１処理モジュールと、
前記ライブストリーミング端末が前記第１標準化処理後のｎ個のマルチメディア情報を同時に再生して、ユーザの操作によって前記選択命令を生成することを有利にするために、前記第１標準化処理後のｎ個のマルチメディア情報を前記ライブストリーミング端末に送信するように構成される第３送信モジュールと、
を含むことを特徴とする請求項１５に記載の標準化サーバ。
【請求項１７】
前記標準化サーバはさらに、
前記初期マルチメディア情報に対して第２標準化処理を行い、第２標準化処理後の初期マルチメディア情報のパラメータが前記再生端末の再生パラメータと一致しているように構成される第２処理モジュールと、
第２標準化処理後の初期マルチメディア情報を、前記第２ネットワークアドレスに指示されている記憶モジュールに記憶するように構成される第２記憶モジュールと、
前記再生端末からの再生リクエストを受信し、前記再生リクエストに前記第２ネットワークアドレスが含まれているように構成される第５受信モジュールと、
前記第２ネットワークアドレスに指示されている記憶モジュールから前記第２標準化処理後の初期マルチメディア情報を取得し、ライブストリーミングデリバリメカニズムとコンテンツデリバリネットワークＣＤＮメカニズムを用いて、前記第２標準化処理後の初期マルチメディア情報を前記再生端末に送信するようにさらに構成される前記第１送信モジュールと、
を含むことを特徴とする請求項１５に記載の標準化サーバ。
【請求項１８】
個々の前記収集デバイスにより収集されたマルチメディア情報のフォーマットは、いずれもＨＤＭＩフォーマット、又はＳＤＩフォーマットである
ことを特徴とする請求項１３に記載の標準化サーバ。
【請求項１９】
前記第１受信モジュールはさらに、
ＲＴＭＰに基づいて、前記ｎ個の収集デバイスによりそれぞれ送信されたｎ個のマルチメディア情報を受信するように構成される
ことを特徴とする請求項１３に記載の標準化サーバ。
【請求項２０】
ライブストリーミング端末であって、前記ライブストリーミング端末がマルチメディア情報再生システムに属し、前記マルチメディア情報再生システムはさらに、ｎ個の収集デバイス、標準化サーバ及び再生端末を含み、前記ｎは２以上の整数であり、前記ライブストリーミング端末は、
ユーザの第１操作によって、選択命令を生成するように構成される第１生成モジュールと、
前記標準化サーバが前記選択命令に従って、ｎ個の収集デバイスにより収集されたｎ個のマルチメディア情報から初期マルチメディア情報を選択し、前記再生端末に前記初期マルチメディア情報を送信することを有利にするために、前記標準化サーバに選択命令を送信するように構成される第１送信モジュールと、
を含むことを特徴とする、前記ライブストリーミング端末。
【請求項２１】
前記ライブストリーミング端末はさらに、
ユーザの第２操作によって切り替え命令を生成するように構成される第２生成モジュールと、
前記標準化サーバが前記切り替え命令に従って、前記再生端末に送信するマルチメディア情報を、前記初期マルチメディア情報から前記ターゲットマルチメディア情報に切り替えることを有利にするために、前記標準化サーバに切り替え命令を送信するように構成される第２送信モジュールと、
を含むことを特徴とする請求項２０に記載のライブストリーミング端末。
【請求項２２】
前記標準化サーバは少なくとも三つのネットワークアドレスを備え、前記ライブストリーミング端末はさらに、
前記標準化サーバが前記標準化サーバの少なくとも三つのネットワークアドレスの中からｎ個の第１ネットワークアドレスと１個の第２ネットワークアドレスをそれぞれ選択することを有利にするために、前記標準化サーバに選択命令を送信する前に、前記標準化サーバにライブストリーミングリクエストを送信し、前記ライブストリーミングリクエストに収集デバイスの数であるｎが含まれているように構成される第１送信モジュールと、
前記標準化サーバにより送信されたｎ個の第１ネットワークアドレスを受信するように構成される第１受信モジュールと、
前記ｎ個の収集デバイスの中の個々の収集デバイスがマルチメディア情報を収集してから、受信された第１ネットワークアドレスに基づいて、前記標準化サーバにマルチメディア情報を送信することを有利にするために、前記ｎ個の収集デバイスに前記ｎ個の第１ネットワークアドレスを送信するように構成される第２送信モジュールと、
を含むことを特徴とする請求項２０に記載のライブストリーミング端末。
【請求項２３】
前記ライブストリーミング端末はさらに、
前記標準化サーバにより送信された第１標準化処理後のｎ個のマルチメディア情報を受信し、前記ｎ個のマルチメディア情報が、前記ｎ個の第１ネットワークアドレスに指示されているｎ個の記憶モジュールにそれぞれ記憶するように構成される第２受信モジュールと、
ユーザインターフェースで、前記第１標準化処理後のｎ個のマルチメディア情報を同期して再生するように構成される再生モジュールと、
を含むことを特徴とする請求項２２に記載のライブストリーミング端末。
【請求項２４】
前記ｎ個の収集デバイスの中の個々の収集デバイスにより収集されたマルチメディア情報のフォーマットは、いずれもＨＤＭＩフォーマット又はＳＤＩフォーマットである
ことを特徴とする、請求項２０に記載のライブストリーミング端末。
【請求項２５】
標準化サーバであって、前記標準化サーバがマルチメディア情報再生システムに属し、前記マルチメディア情報再生システムは、ｎ個の収集デバイス、前記標準化サーバ、ライブストリーミング端末及び再生端末を含み、前記ｎが２以上の整数であり、前記標準化サーバは、
処理コンポーネントと、
前記処理コンポーネントの実行可能な命令を記憶するように構成される記憶装置と、
を含み、前記処理コンポーネントは、
前記ｎ個の収集デバイスによりそれぞれ送信されたｎ個のマルチメディア情報を受信し、個々の前記マルチメディア情報は、対応する収集デバイスにより周囲の環境情報を収集して得られるものであり、
前記ライブストリーミング端末により送信された選択命令を受信し、
前記選択命令に従い、前記ｎ個のマルチメディア情報から初期マルチメディア情報を選択し、
前記再生端末が前記初期マルチメディア情報を再生することを有利にするために、前記再生端末に前記初期マルチメディア情報を送信する
ように構成されることを特徴とする、前記標準化サーバ。
【請求項２６】
ライブストリーミング端末であって、前記ライブストリーミング端末がマルチメディア情報再生システムに属し、前記マルチメディア情報再生システムは、ｎ個の収集デバイス、標準化サーバ及び再生端末を含み、前記ｎが２以上の整数であり、前記ライブストリーミング端末は、
処理コンポーネントと、
前記処理コンポーネントの実行可能な命令を記憶するように構成される記憶装置と、
を含み、前記処理コンポーネントは、
ユーザの第１操作によって選択命令を生成し、
前記標準化サーバが前記選択命令に従って、ｎ個の収集デバイスにより収集されたｎ個のマルチメディア情報から初期マルチメディア情報を選択して、前記再生端末に前記初期マルチメディア情報を送信することを有利にするために、前記標準化サーバに選択命令を送信する
ように構成されることを特徴とする、前記ライブストリーミング端末。
【請求項２７】
マルチメディア情報再生システムであって、前記マルチメディア情報再生システムは、ｎ個の収集デバイス、標準化サーバ、ライブストリーミング端末及び再生端末を含み、前記ｎは２以上の整数であり、
前記標準化サーバは、請求項１３〜１９のいずれか１項に記載の標準化サーバであり、前記ライブストリーミング端末は、請求項２５に記載のライブストリーミング端末であり、または、
前記標準化サーバは、請求項２５に記載の標準化サーバであり、前記ライブストリーミング端末は、請求項２６に記載のライブストリーミング端末であることを特徴とする、前記マルチメディア情報再生システム。
【発明の詳細な説明】
【技術分野】
【０００１】
本発明はネットワーク技術領域に関し、特にマルチメディア情報再生方法及びシステム、ならびに標準化サーバ及びライブストリーミング端末に関する。
【背景技術】
【０００２】
ネットワーク技術の急速な発展に伴い、ますます多くのネットワークライブストリーミングプラットフォームが現れ、ユーザは、ネットワークライブストリーミングプラットフォームで様々なマルチメディア情報をライブストリーミングすることができる。
【０００３】
従来技術において、ライブストリーミング携帯電話（例えば、主催者の携帯電話）はネットワークライブストリーミングプラットフォームのサーバに登録することができ、この時、サーバは、ライブストリーミング携帯電話に一つのライブストリーミングネットワークアドレスを送信し、そして、ライブストリーミング携帯電話の撮影カメラは、ライブストリーミングのビデオ情報を収集することができ、ライブストリーミング携帯電話のマイクは、ライブストリーミングのオーディオ情報を収集することができ、ライブストリーミング携帯電話はさらに、収集されたライブストリーミングのビデオ情報とライブストリーミングのオーディオ情報を含んでいるマルチメディア情報を、ライブストリーミングネットワークアドレスに送信することができる。再生携帯電話（例えば視聴者の携帯電話）は、ネットワークライブストリーミングプラットフォームのサーバに登録して、再生携帯電話が受信されたマルチメディア情報を再生することを有利にするために、サーバがライブストリーミングネットワークアドレス上のマルチメディア情報を再生携帯電話に送信することををトリガーすることもできる。
【０００４】
従来技術において、携帯電話の撮影カメラは、同一タイミングでただ一つの視角のマルチメディア情報のみを収集することが可能であるため、再生携帯電話は一つの視角のマルチメディア情報しか再生できず、そのため、マルチメディア情報の再生効果が悪い。
【発明の概要】
【０００５】
本発明は、マルチメディア情報再生方法及びシステム、ならびに標準化サーバ及びライブストリーミング端末を提供する。その技術案は下記の通りである。
【０００６】
第１形態において、マルチメディア情報再生方法を提供し、マルチメディア情報再生システム内の標準化サーバに用いられ、前記マルチメディア情報再生システムは、ｎ個の収集デバイス、前記標準化サーバ、ライブストリーミング端末及び再生端末を含み、前記ｎは２以上の整数であり、前記方法は、
前記ｎ個の収集デバイスによりそれぞれ送信されたｎ個のマルチメディア情報を受信することと、
前記ライブストリーミング端末により送信された選択命令を受信することと、
前記選択命令に従い、前記ｎ個のマルチメディア情報から初期マルチメディア情報を選択することと、
前記再生端末が前記初期マルチメディア情報を再生することを有利にするために、前記再生端末に前記初期マルチメディア情報を送信することと、
を含み、個々の前記マルチメディア情報は、対応する収集デバイスにより周囲の環境情報を収集して得られるものである。
【０００７】
選択肢として、前記方法はさらに、
前記ライブストリーミング端末により送信された切り替え命令を受信することと、
前記切り替え命令に従い、前記ｎ個のマルチメディア情報からターゲットマルチメディア情報を選択することと、
前記再生端末が前記ターゲットマルチメディア情報を再生することを有利にするために、前記再生端末に送信するマルチメディア情報を、前記初期マルチメディア情報から前記ターゲットマルチメディア情報に切り替え、前記再生端末に前記ターゲットマルチメディア情報を送信することと、
を含む。
【０００８】
選択肢として、前記標準化サーバは少なくとも三つのネットワークアドレスを備え、前記方法はさらに、
前記ライブストリーミング端末からの、収集デバイスの数であるｎが含まれているライブストリーミングリクエストを受信することと、
前記標準化サーバの少なくとも三つのネットワークアドレスの中から、ｎ個の第１ネットワークアドレスと１個の第２ネットワークアドレスをそれぞれ選択し、前記ｎ個の第１ネットワークアドレス及び前記第２ネットワークアドレスが、前記標準化サーバ内の異なる記憶モジュールをそれぞれ指示していることと、
前記ライブストリーミング端末が前記ｎ個の第１ネットワークアドレスを前記ｎ個の収集デバイスにそれぞれ送信することを有利にするために、前記ライブストリーミング端末に前記ｎ個の第１ネットワークアドレスを送信することと、
前記ｎ個の収集デバイスにより送信されたｎ個のマルチメディア情報を受信することと、
を含み、前記ｎ個の収集デバイスにより送信されたｎ個のマルチメディア情報を受信することは、
前記ｎ個の収集デバイスにより前記ｎ個の第１ネットワークアドレスに基づいてそれぞれ送信されたマルチメディア情報を受信することを含む。
【０００９】
選択肢として、前記方法はさらに、
前記ｎ個のマルチメディア情報を、前記ｎ個の第１ネットワークアドレスに指示されている記憶モジュール中に、それぞれ記憶することと、
前記ｎ個のマルチメディア情報に対して第１標準化処理を行い、第１標準化処理後のｎ個のマルチメディア情報のパラメータが、前記ライブストリーミング端末の再生パラメータと一致していることと、
前記ライブストリーミング端末が前記第１標準化処理後のｎ個のマルチメディア情報を同時に再生して、ユーザの操作によって前記選択命令を生成することを有利にするために、前記第１標準化処理後のｎ個のマルチメディア情報を前記ライブストリーミング端末に送信することと、
を含む。
【００１０】
選択肢として、前記方法はさらに、
前記初期マルチメディア情報に対して第２標準化処理を行い、第２標準化処理後の初期マルチメディア情報のパラメータが前記再生端末の再生パラメータと一致していることと、
第２標準化処理後の初期マルチメディア情報を、前記第２ネットワークアドレスに指示されている記憶モジュールに記憶することと、
前記再生端末からの、前記第２ネットワークアドレスが含まれている再生リクエストを受信することと、
前記再生端末に前記初期マルチメディア情報を送信することと、
を含み、前記再生端末に前記初期マルチメディア情報を送信することは、
前記第２ネットワークアドレスに指示されている記憶モジュールから、前記第２標準化処理後の初期マルチメディア情報を取得することと、
ライブストリーミングデリバリメカニズムとコンテンツデリバリネットワークＣＤＮメカニズムを用いて、前記第２標準化処理後の初期マルチメディア情報を前記再生端末に送信することと、
を含む。
【００１１】
選択肢として、個々の前記収集デバイスにより収集されたマルチメディア情報のフォーマットは、いずれも高解像度のマルチメディアインターフェース（ＨＤＭＩ（登録商標））フォーマット、又はシリアルデジタルインタフェース（ＳＤＩ）フォーマットである。
【００１２】
選択肢として、前記ｎ個の収集デバイスによりそれぞれ送信されたｎ個のマルチメディア情報を受信することは、
リアルタイムメッセージ伝送プロトコル（ＲＴＭＰ）に基づいて、前記ｎ個の収集デバイスによりそれぞれ送信されたｎ個のマルチメディア情報を受信することを含む。
【００１３】
第２形態において、マルチメディア情報再生方法を提供し、マルチメディア情報再生システム内のライブストリーミング端末に用いられ、前記マルチメディア情報再生システムは、ｎ個の収集デバイス、標準化サーバ、前記ライブストリーミング端末及び再生端末を含み、前記ｎは２以上の整数であり、前記方法は、
ユーザの第１操作によって選択命令を生成することと、
前記標準化サーバが前記選択命令に従って、ｎ個の収集デバイスにより収集されたｎ個のマルチメディア情報から初期マルチメディア情報を選択して、前記再生端末に前記初期マルチメディア情報を送信することを有利にするために、前記標準化サーバに選択命令を送信することと、
を含む。
【００１４】
選択肢として、前記方法はさらに、
ユーザの第２操作によって切り替え命令を生成することと、
前記標準化サーバが前記切り替え命令に従って、前記再生端末に送信するマルチメディア情報を前記初期マルチメディア情報から前記ターゲットマルチメディア情報に切り替えることを有利にするために、前記標準化サーバに切り替え命令を送信することと、
を含む。
【００１５】
選択肢として、前記標準化サーバが少なくとも三つのネットワークアドレスを備え、前記方法はさらに、
前記標準化サーバが前記標準化サーバの少なくとも三つのネットワークアドレスの中から、ｎ個の第１ネットワークアドレスと１個の第２ネットワークアドレスをそれぞれ選択することを有利にするために、前記標準化サーバに選択命令を送信する前に、前記標準化サーバに収集デバイスの数であるｎが含まれているライブストリーミングリクエストを送信することと、
前記標準化サーバにより送信されたｎ個の第１ネットワークアドレスを受信することと、
前記ｎ個の収集デバイスの中の個々の収集デバイスがマルチメディア情報を収集してから、受信された第１ネットワークアドレスに基づいて、前記標準化サーバにマルチメディア情報を送信することを有利にするために、前記ｎ個の収集デバイスに前記ｎ個の第１ネットワークアドレスをそれぞれ送信することと、
を含む。
【００１６】
選択肢として、前記方法はさらに、
前記標準化サーバにより送信された第１標準化処理後のｎ個のマルチメディア情報を受信し、前記ｎ個のマルチメディア情報が、前記ｎ個の第１ネットワークアドレスに指示されているｎ個の記憶モジュールにそれぞれ記憶されることと、
ユーザインターフェースで、前記第１標準化処理後のｎ個のマルチメディア情報を同期して再生することと、
を含む。
【００１７】
選択肢として、前記ｎ個の収集デバイスの中の個々の収集デバイスにより収集されたマルチメディア情報のフォーマットは、いずれもＨＤＭＩフォーマット又はＳＤＩフォーマットである。
【００１８】
第３形態において、標準化サーバを提供し、前記標準化サーバがマルチメディア情報再生システムに属して、前記マルチメディア情報再生システムはさらに、ｎ個の収集デバイス、ライブストリーミング端末及び再生端末を含み、前記ｎは２以上の整数であり、前記標準化サーバは、
前記ｎ個の収集デバイスによりそれぞれ送信されたｎ個のマルチメディア情報を受信するように構成される第１受信モジュールと、
前記ライブストリーミング端末により送信された選択命令を受信するように構成される第２受信モジュールと、
前記選択命令に従って、前記ｎ個のマルチメディア情報から初期マルチメディア情報を選択するように構成される第１選択モジュールと、
前記再生端末が前記初期マルチメディア情報を再生することを有利にするために、前記再生端末に前記初期マルチメディア情報を送信するように構成される第１送信モジュールと、
を含み、個々の前記マルチメディア情報は、対応する収集デバイスにより周囲の環境情報を収集して得られるものである。
【００１９】
選択肢として、前記標準化サーバはさらに、
前記ライブストリーミング端末により送信された切り替え命令を受信するように構成される第３受信モジュールと、
前記切り替え命令に従って、前記ｎ個のマルチメディア情報からターゲットマルチメディア情報を選択するように構成される第２選択モジュールと、
前記再生端末が前記ターゲットマルチメディア情報を再生することを有利にするために、前記再生端末に送信するマルチメディア情報を前記初期マルチメディア情報から前記ターゲットマルチメディア情報に切り替え、前記再生端末に前記ターゲットマルチメディア情報を送信するように構成される切り替えモジュールと、
を含む。
【００２０】
選択肢として、前記標準化サーバは少なくとも三つのネットワークアドレスを備え、前記標準化サーバはさらに、
前記ライブストリーミング端末からのライブストリーミングリクエストを受信し、前記ライブストリーミングリクエストに収集デバイスの数であるｎが含まれているように構成される第４受信モジュールと、
前記標準化サーバの少なくとも三つのネットワークアドレスの中から、ｎ個の第１ネットワークアドレスと１個の第２ネットワークアドレスをそれぞれ選択し、前記ｎ個の第１ネットワークアドレス及び前記第２ネットワークアドレスが前記標準化サーバ内の異なる記憶モジュールをそれぞれ指示しているように構成される第３選択モジュールと、
前記ライブストリーミング端末が前記ｎ個の第１ネットワークアドレスを前記ｎ個の収集デバイスにそれぞれ送信することを有利にするために、前記ライブストリーミング端末に前記ｎ個の第１ネットワークアドレスを送信するように構成される第２送信モジュールと、
前記ｎ個の収集デバイスにより、前記ｎ個の第１ネットワークアドレスに基づいて、それぞれ送信されたマルチメディア情報を受信するようにさらに構成される前記第１受信モジュールと、
を含む。
【００２１】
選択肢として、前記標準化サーバはさらに、
前記ｎ個のマルチメディア情報を、前記ｎ個の第１ネットワークアドレスに指示されている記憶モジュールに、それぞれ記憶するように構成される第１記憶モジュールと、
前記ｎ個のマルチメディア情報に対して第１標準化処理を行い、第１標準化処理後のｎ個のマルチメディア情報のパラメータが前記ライブストリーミング端末の再生パラメータと一致するように構成される第１処理モジュールと、
前記ライブストリーミング端末が前記第１標準化処理後のｎ個のマルチメディア情報を同時に再生して、ユーザの操作によって前記選択命令を生成することを有利にするために、前記第１標準化処理後のｎ個のマルチメディア情報を前記ライブストリーミング端末に送信するように構成される第３送信モジュールと、
を含む。
【００２２】
選択肢として、前記標準化サーバはさらに、
前記初期マルチメディア情報に対して第２標準化処理を行い、第２標準化処理後の初期マルチメディア情報のパラメータが前記再生端末の再生パラメータと一致しているように構成される第２処理モジュールと、
第２標準化処理後の初期マルチメディア情報を、前記第２ネットワークアドレスに指示されている記憶モジュールに記憶するように構成される第２記憶モジュールと、
前記再生端末からの、前記第２ネットワークアドレスが含まれている再生リクエストを受信するように構成される第５受信モジュールと、
前記第２ネットワークアドレスに指示されている記憶モジュールから、前記第２標準化処理後の初期マルチメディア情報を取得し、ライブストリーミングデリバリメカニズムとコンテンツデリバリネットワークＣＤＮメカニズムを用いて、前記第２標準化処理後の初期マルチメディア情報を前記再生端末に送信するようにさらに構成される前記第１送信モジュールと、
を含む。
【００２３】
選択肢として、個々の前記収集デバイスにより収集されたマルチメディア情報のフォーマットは、いずれも高解像度のマルチメディアインターフェース（ＨＤＭＩ）フォーマット、又はシリアルデジタルインタフェース（ＳＤＩ）フォーマットである。
【００２４】
選択肢として、前記第１受信モジュールはさらに、
リアルタイムメッセージ伝送プロトコル（ＲＴＭＰ）に基づいて、前記ｎ個の収集デバイスによりそれぞれ送信されたｎ個のマルチメディア情報を受信するように構成される。
【００２５】
第４形態において、ライブストリーミング端末を提供し、前記ライブストリーミング端末がマルチメディア情報再生システムに属し、前記マルチメディア情報再生システムはさらに、ｎ個の収集デバイス、標準化サーバ及び再生端末を含み、前記ｎは２以上の整数であり、前記ライブストリーミング端末は、
ユーザの第１操作によって、選択命令を生成するように構成される第１生成モジュールと、
前記標準化サーバが前記選択命令に従って、ｎ個の収集デバイスにより収集されたｎ個のマルチメディア情報から初期マルチメディア情報を選択し、前記再生端末に前記初期マルチメディア情報を送信することを有利にするために、前記標準化サーバに選択命令を送信するように構成される第１送信モジュールと、
を含む。
【００２６】
選択肢として、前記ライブストリーミング端末はさらに、
ユーザの第２操作によって切り替え命令を生成するように構成される第２生成モジュールと、
前記標準化サーバが前記切り替え命令に従って、前記再生端末に送信するマルチメディア情報を、前記初期マルチメディア情報から、前記ターゲットマルチメディア情報に切り替えることを有利にするために、前記標準化サーバに切り替え命令を送信するように構成される第２送信モジュールと、
を含む。
【００２７】
選択肢として、前記標準化サーバは少なくとも三つのネットワークアドレスを備え、前記ライブストリーミング端末はさらに、
前記標準化サーバが前記標準化サーバの少なくとも三つのネットワークアドレスの中から、ｎ個の第１ネットワークアドレスと１個の第２ネットワークアドレスをそれぞれ選択することを有利にするために、前記標準化サーバに選択命令を送信する前に、前記標準化サーバにライブストリーミングリクエストを送信し、前記ライブストリーミングリクエストに収集デバイスの数であるｎが含まれているように構成される第１送信モジュールと、
前記標準化サーバにより送信されたｎ個の第１ネットワークアドレスを受信するように構成される第１受信モジュールと、
前記ｎ個の収集デバイスの中の個々の収集デバイスがマルチメディア情報を収集してから、受信された第１ネットワークアドレスに基づいて、前記標準化サーバにマルチメディア情報を送信することを有利にするために、前記ｎ個の収集デバイスに前記ｎ個の第１ネットワークアドレスを送信するように構成される第２送信モジュールと、
を含む。
【００２８】
選択肢として、前記ライブストリーミング端末はさらに、
前記標準化サーバにより送信された第１標準化処理後のｎ個のマルチメディア情報を受信し、前記ｎ個のマルチメディア情報が、前記ｎ個の第１ネットワークアドレスに指示されているｎ個の記憶モジュールにそれぞれ記憶するように構成される第２受信モジュールと、
ユーザインターフェースで、前記第１標準化処理後のｎ個のマルチメディア情報を同期して再生するように構成される再生モジュールと、
を含む。
【００２９】
選択肢として、前記ｎ個の収集デバイスの中の個々の収集デバイスにより収集されたマルチメディア情報のフォーマットは、いずれもＨＤＭＩフォーマット又はＳＤＩフォーマットである。
【００３０】
第５形態において、標準化サーバを提供し、前記標準化サーバがマルチメディア情報再生システムに属し、前記マルチメディア情報再生システムは、ｎ個の収集デバイス、前記標準化サーバ、ライブストリーミング端末及び再生端末を含み、前記ｎが２以上の整数であり、前記標準化サーバは、
処理コンポーネントと、
前記処理コンポーネントの実行可能な命令を記憶するように構成される記憶装置と、を含み、
ここで、前記処理コンポーネントは、
前記ｎ個の収集デバイスによりそれぞれ送信されたｎ個のマルチメディア情報を受信し、個々の前記マルチメディア情報は、対応する収集デバイスにより周囲の環境情報を収集して得られるものであり、
前記ライブストリーミング端末により送信された選択命令を受信し、
前記選択命令に従い、前記ｎ個のマルチメディア情報から初期マルチメディア情報を選択し、
前記再生端末が前記初期マルチメディア情報を再生することを有利にするために、前記再生端末に前記初期マルチメディア情報を送信する、
ように構成される。
【００３１】
第６形態において、ライブストリーミング端末を提供し、前記ライブストリーミング端末がマルチメディア情報再生システムに属し、前記マルチメディア情報再生システムは、ｎ個の収集デバイス、標準化サーバ及び再生端末を含み、前記ｎが２以上の整数であり、前記ライブストリーミング端末は、
処理コンポーネントと、
前記処理コンポーネントの実行可能な命令を記憶するように構成される記憶装置と、を含み、、
ここで、前記処理コンポーネントは、
ユーザの第１操作によって選択命令を生成し、
前記標準化サーバが前記選択命令に従って、ｎ個の収集デバイスにより収集されたｎ個のマルチメディア情報から初期マルチメディア情報を選択して、前記再生端末に前記初期マルチメディア情報を送信することを有利にするために、前記標準化サーバに選択命令を送信する、
ように構成される。
【００３２】
第７形態において、マルチメディア情報再生システムを提供し、前記マルチメディア情報再生システムは、ｎ個の収集デバイス、標準化サーバ、ライブストリーミング端末及び再生端末を含み、前記ｎは２以上の整数であり、
ここで、前記標準化サーバは第３形態に記載されている標準化サーバであり、前記ライブストリーミング端末は第４形態に記載されているライブストリーミング端末であり、
または、前記標準化サーバは第５形態に記載されている標準化サーバであり、前記ライブストリーミング端末は第６形態に記載されているライブストリーミング端末である。
【００３３】
本発明の実施例により提供されている技術案の効果としては、以下のとおりである。
【００３４】
上記に説明したように、本発明はマルチメディア情報再生方法及びシステム、ならびに標準化サーバ及びライブストリーミング端末を提供し、標準化サーバは、ライブストリーミング端末により送信された選択命令に従い、ｎ個の収集デバイスにより収集された異なる視角のマルチメディア情報から、主催者のライブストリーミングしようとする初期マルチメディア情報を選択し、再生端末に該初期マルチメディア情報を送信することができ、それによって、再生端末が異なる視角のマルチメディア情報を再生することができ、そのため、マルチメディア情報の再生効果を向上させる。
【図面の簡単な説明】
【００３５】
【図１】一つの例示的な実施例に基づいて示されたマルチメディア情報再生システムの構成を示す図である。
【図２】一つの例示的な実施例に基づいて示されたマルチメディア情報再生方法の方法フローチャートである。
【図３】一つの例示的な実施例に基づいて示された他のマルチメディア情報再生方法の方法フローチャートである。
【図４−１】一つの例示的な実施例に基づいて示されたもう一つのマルチメディア情報再生方法の方法フローチャートである。
【図４−２】一つの例示的な実施例に基づいて示されたさらに一つのマルチメディア情報再生方法の方法フローチャートである。
【図５−１】一つの例示的な実施例に基づいて示されたユーザインターフェースを示す図である。
【図５−２】一つの例示的な実施例に基づいて示された他のユーザインターフェースを示す図である。
【図５−３】一つの例示的な実施例に基づいて示されたもう一つのユーザインターフェースを示す図である。
【図５−４】一つの例示的な実施例に基づいて示されたさらに一つのユーザインターフェースを示す図である。
【図５−５】もう一つの例示的な実施例に基づいて示されたユーザインターフェースを示す図である。
【図５−６】もう一つの例示的な実施例に基づいて示された他のユーザインターフェースを示す図である。
【図６−１】一つの例示的な実施例に基づいて示された標準化サーバの構成を示す図である。
【図６−２】一つの例示的な実施例に基づいて示された他の標準化サーバの構成を示す図である。
【図６−３】一つの例示的な実施例に基づいて示されたもう一つの標準化サーバの構成を示す図である。
【図６−４】一つの例示的な実施例に基づいて示されたさらに一つの標準化サーバの構成を示す図である。
【図６−５】もう一つの例示的な実施例に基づいて示された標準化サーバの構成を示す図である。
【図７−１】一つの例示的な実施例に基づいて示されたライブストリーミング端末の構成を示す図である。
【図７−２】一つの例示的な実施例に基づいて示された他のライブストリーミング端末の構成を示す図である。
【図７−３】一つの例示的な実施例に基づいて示されたもう一つのライブストリーミング端末の構成を示す図である。
【図７−４】一つの例示的な実施例に基づいて示されたさらに一つのライブストリーミング端末の構成を示す図である。
【図８】もう一つの例示的な実施例に基づいて示された他の標準化サーバの構成を示す図である。
【図９】もう一つの例示的な実施例に基づいて示されたライブストリーミング端末の構成を示す図である。
【発明を実施するための形態】
【００３６】
より明確に本発明の実施例の技術案を説明するために、上記において、実施例の説明に必要とする図面を簡単に説明し、明らかに、上記の説明の図面は単なる本発明より開示された幾つかの実施例に過ぎず、当業者にとって、創造的な労力を払わない前提で、これらの図面に基づいてその他の図面が得ることができる。
【００３７】
本発明の目的、技術案及びメリットをより明確させるために、以下、図面を結合して本発明をさらに詳しく説明する。明らかに、記載されている実施例は単なる本発明の一部の実施例に過ぎず、全部の実施例ではない。本発明の実施例に基づいて、当業者は創造的な労力を払わない前提で得られた全てのその他の実施例は、全て本発明の範囲である。
【００３８】
図１は、一つの例示的な実施例に基づいて示されたマルチメディア情報再生システムの構成を示す図である。図１に示すように、該マルチメディア情報再生システム１は、ｎ個の収集デバイス１０、標準化サーバ１１、ライブストリーミング端末１２及び再生端末１３を含むことが可能であり、ここで、ｎは２以上の整数であり、図１においては、ｎが２であることを例とする。ライブストリーミング端末１２と再生端末１３は、いずれも標準化サーバ１１に登録してから、該標準化サーバ１１と通信接続を確立することができ、該ライブストリーミング端末１２はさらに、ｎ個の収集デバイス１０の個々の収集デバイスと通信接続を確立することができる。
【００３９】
例示的に、収集デバイス１０、標準化サーバ１１、ライブストリーミング端末１２及び再生端末１３の間で確立されている通信接続は、有線ネットワークによって確立しても良く、無線ネットワークによって確立しても良く、本発明の実施例はこれについて限定しない。ここで、有線ネットワークはユニバーサル・シリアル・バス（ＵＳＢ：Ｕｎｉｖｅｒｓａｌ  Ｓｅｒｉａｌ  Ｂｕｓ）を含むが、それに限定されない。無線ネットワークはワイヤレス・フィディリティー（ＷＩＦＩ：Ｗｉｒｅｌｅｓｓ  Ｆｉｄｅｌｉｔｙ）、ブルートゥース（登録商標）（Ｂｌｕｅｔｏｏｔｈ）、赤外線、ジグビー（登録商標）（Ｚｉｇｂｅｅ）、データなどを含むが、それらに限定されない。
【００４０】
図２は、一つの例示的な実施例に基づいて示されたマルチメディア情報再生方法の方法フローチャートである。該マルチメディア情報再生方法は、図１に示されているマルチメディア情報再生システム１内の標準化サーバ１１に用いられることができ、図２に示すように、該マルチメディア情報再生方法はステップ２０１〜２０４を含むことが可能である。
【００４１】
ステップ２０１において、ｎ個の収集デバイスによりそれぞれ送信されたｎ個のマルチメディア情報を受信し、個々のマルチメディア情報は、対応する収集デバイスにより周囲の環境情報を収集して得られるものである。
【００４２】
ステップ２０２において、ライブストリーミング端末により送信された選択命令を受信する。
【００４３】
ステップ２０３において、選択命令に従って、ｎ個のマルチメディア情報から初期マルチメディア情報を選択する。
【００４４】
ステップ２０４において、再生端末が初期マルチメディア情報を再生することを有利にするために、再生端末に初期マルチメディア情報を送信する。
【００４５】
以上に説明したように、本発明の実施例により提供されているマルチメディア情報再生方法において、標準化サーバは、ライブストリーミング端末により送信された選択命令に従い、ｎ個の収集デバイスにより収集された異なる視角のマルチメディア情報から、主催者のライブストリーミングしようとする初期マルチメディア情報を選択して、再生端末に該初期マルチメディア情報を送信することができ、それによって、再生端末が異なる視角のマルチメディア情報を再生することができ、そのため、マルチメディア情報の再生効果を向上させる。
【００４６】
選択肢として、該マルチメディア情報再生方法はさらに、
ライブストリーミング端末により送信された切り替え命令を受信することと、
切り替え命令に従い、ｎ個のマルチメディア情報からターゲットマルチメディア情報を選択することと、
再生端末がターゲットマルチメディア情報を再生することを有利にするために、再生端末に送信するマルチメディア情報を初期マルチメディア情報から、ターゲットマルチメディア情報に切り替え、再生端末にターゲットマルチメディア情報を送信することと、
を含むことが可能である。
【００４７】
選択肢として、標準化サーバは少なくとも三つのネットワークアドレスを備え、該マルチメディア情報再生方法はさらに、
ライブストリーミング端末からの、収集デバイスの数であるｎが含まれているライブストリーミングリクエストを受信することと、
標準化サーバの少なくとも三つのネットワークアドレスの中から、ｎ個の第１ネットワークアドレスと１個の第２ネットワークアドレスをそれぞれ選択し、ｎ個の第１ネットワークアドレス及び第２ネットワークアドレスが標準化サーバ内の異なる記憶モジュールをそれぞれ指示していることと、
ライブストリーミング端末がｎ個の第１ネットワークアドレスをｎ個の収集デバイスにそれぞれ送信することを有利にするために、ライブストリーミング端末にｎ個の第１ネットワークアドレスを送信することと、
ステップ２０１と、を含むことができ、
ステップ２０１は、
ｎ個の収集デバイスによりｎ個の第１ネットワークアドレスに基づいてそれぞれ送信されたマルチメディア情報を受信することを含むことが可能である。
【００４８】
選択肢として、該マルチメディア情報再生方法はさらに、
ｎ個のマルチメディア情報を、ｎ個の第１ネットワークアドレスに指示されている記憶モジュール中に、それぞれ記憶することと、
ｎ個のマルチメディア情報に対して第１標準化処理を行い、第１標準化処理後のｎ個のマルチメディア情報のパラメータがライブストリーミング端末の再生パラメータと一致していることと、
ライブストリーミング端末が第１標準化処理後のｎ個のマルチメディア情報を同時に再生して、ユーザの操作によって選択命令を生成することを有利にするために、第１標準化処理後のｎ個のマルチメディア情報をライブストリーミング端末に送信することと、
を含むことが可能である。
【００４９】
選択肢として、該マルチメディア情報再生方法はさらに、
初期マルチメディア情報に対して第２標準化処理を行い、第２標準化処理後の初期マルチメディア情報のパラメータが再生端末の再生パラメータと一致していることと、
第２標準化処理後の初期マルチメディア情報を、第２ネットワークアドレスに指示されている記憶モジュールに記憶することと、
再生端末からの再生リクエストを受信し、再生リクエストに第２ネットワークアドレスが含まれていることと、
ステップ２０４とを含むことができ、
ステップ２０４は、
第２ネットワークアドレスに指示されている記憶モジュールから、第２標準化処理後の初期マルチメディア情報を取得することと、
ライブストリーミングデリバリメカニズムとコンテンツデリバリネットワーク（ＣＤＮ）メカニズムを用いて、第２標準化処理後の初期マルチメディア情報を再生端末に送信することと、
を含むことが可能である。
【００５０】
選択肢として、個々の前記収集デバイスにより収集されたマルチメディア情報のフォーマットは、いずれも高解像度のマルチメディアインターフェース（ＨＤＭＩ（登録商標））フォーマット、又はシリアルデジタルインタフェース（ＳＤＩ）フォーマットである。
【００５１】
選択肢として、ステップ２０１はさらに、
リアルタイムメッセージ伝送プロトコル（ＲＴＭＰ）に基づいて、前記ｎ個の収集デバイスによりそれぞれ送信されたｎ個のマルチメディア情報を受信することを含むことが可能である。
【００５２】
上記に説明したように、本発明はマルチメディア情報再生方法において、ｎ個の収集デバイスが異なる視角のマルチメディア情報をそれぞれ収集することができ、標準化サーバは、ライブストリーミング端末により送信された選択命令に従い、異なる視角のマルチメディア情報から、主催者のライブストリーミングしようとする初期マルチメディア情報を選択し、再生端末に該初期マルチメディア情報を送信することができ、それによって、再生端末が異なる視角のマルチメディア情報を再生することができ、そのため、マルチメディア情報の再生効果を向上させる。
【００５３】
図３は、一つの例示的な実施例に基づいて示された他のマルチメディア情報再生方法の方法フローチャートである。該マルチメディア情報再生方法は、図１に示されているマルチメディア情報再生システム１内のライブストリーミング端末１２に用いられることができ、図３に示すように、該マルチメディア情報再生方法はステップ３０１〜３０２を含むことが可能である。
【００５４】
ステップ３０１において、ユーザの第１操作によって選択命令を生成する。
【００５５】
ステップ３０２において、標準化サーバが選択命令に従って、ｎ個の収集デバイスにより収集されたｎ個のマルチメディア情報から、初期マルチメディア情報を選択して、再生端末に初期マルチメディア情報を送信することを有利にするために、標準化サーバに選択命令を送信する。
【００５６】
上記に説明したように、本発明はマルチメディア情報再生方法において、ｎ個の収集デバイスが異なる視角のマルチメディア情報をそれぞれ収集することができ、ライブストリーミング端末はユーザの第１操作によって、選択命令を生成するときに、標準化サーバに該選択命令を送信することでき、標準化サーバがライブストリーミング端末により送信された選択命令に従い、異なる視角のマルチメディア情報から、主催者のライブストリーミングしようとする初期マルチメディア情報を選択して、再生端末に該初期マルチメディア情報を送信することができるようにし、それによって、再生端末が異なる視角のマルチメディア情報を再生することができ、そのため、マルチメディア情報の再生効果を向上させる。
【００５７】
選択肢として、該マルチメディア情報再生方法はさらに、
ユーザの第２操作によって切り替え命令を生成することと、
標準化サーバが切り替え命令に従って、再生端末に送信するマルチメディア情報を、初期マルチメディア情報からターゲットマルチメディア情報に切り替えることを有利にするために、標準化サーバに切り替え命令を送信することと、
を含むことが可能である。
【００５８】
選択肢として、標準化サーバは少なくとも三つのネットワークアドレスを備え、該マルチメディア情報再生方法はさらに、
標準化サーバが標準化サーバの少なくとも三つのネットワークアドレスの中から、ｎ個の第１ネットワークアドレスと１個の第２ネットワークアドレスをそれぞれ選択することを有利にするために、標準化サーバに選択命令を送信する前に、標準化サーバに収集デバイスの数であるｎが含まれているライブストリーミングリクエストを送信することと、
標準化サーバにより送信されたｎ個の第１ネットワークアドレスを受信することと、
ｎ個の収集デバイスの中の個々の収集デバイスがマルチメディア情報を収集してから、受信された第１ネットワークアドレスに基づいて、標準化サーバにマルチメディア情報を送信することを有利にするために、ｎ個の収集デバイスにｎ個の第１ネットワークアドレスを送信することと、
を含むことが可能である。
【００５９】
選択肢として、該マルチメディア情報再生方法はさらに、
標準化サーバにより送信された第１標準化処理後のｎ個のマルチメディア情報を受信し、ｎ個のマルチメディア情報がｎ個の第１ネットワークアドレスに指示されているｎ個の記憶モジュールにそれぞれ記憶することと、
ユーザインターフェースで、第１標準化処理後のｎ個のマルチメディア情報を同期して再生することと、
を含むことが可能である。
【００６０】
選択肢として、前記ｎ個の収集デバイスの中の個々の収集デバイスにより収集されたマルチメディア情報のフォーマットは、いずれもＨＤＭＩフォーマット又はＳＤＩフォーマットである。
【００６１】
上記に説明したように、本発明はマルチメディア情報再生方法において、ｎ個の収集デバイスが異なる視角のマルチメディア情報をそれぞれ収集することができ、ライブストリーミング端末はユーザの第１操作によって、選択命令を生成する時に、標準化サーバに該選択命令を送信することでき、標準化サーバがライブストリーミング端末により送信された選択命令に従い、異なる視角のマルチメディア情報から主催者のライブストリーミングしようとする初期マルチメディア情報を選択して、再生端末に該初期マルチメディア情報を送信することができるようにし、それによって、再生端末が異なる視角のマルチメディア情報を再生することができ、そのため、マルチメディア情報の再生効果を向上させる。
【００６２】
図４−１は、一つの例示的な実施例に基づいて示されたもう一つのマルチメディア情報再生方法の方法フローチャートである。該マルチメディア情報再生方法は、図１に示されているマルチメディア情報再生システム１に用いられることができ、図４−１に示すように、該マルチメディア情報再生方法は以下のステップを含むことが可能である。
【００６３】
ステップ４０１において、ライブストリーミング端末は標準化サーバにライブストリーミングリクエストを送信する。
【００６４】
例示的に、ライブストリーミングリクエストには収集デバイスの数であるｎが含まれていて、主催者はライブストリーミング端末によって標準化サーバに登録し、そして標準化サーバに登録してから、標準化サーバと通信接続を確立することができる。この時に、ライブストリーミング端末１２のユーザインターフェースは、図５−１に示すように、該ライブストリーミング端末１２のユーザインターフェースに、「ライブストリーミングする」というボタンを表示することができ、ユーザはライブストリーミングしようとする時に、該「ライブストリーミングする」ボタンを直接にクリックし、それによって、ライブストリーミング端末が標準化サーバにライブストリーミングリクエストを送信するようにトリガーされる。
【００６５】
さらに、ライブストリーミング端末１２のユーザインターフェースにライブストリーミング中のユーザ、及び該ユーザに関連するライブストリーミング画像（例えば、画像又はビデオ）を表示することができ、例示的に、図５−１には、ユーザインターフェースに８人のライブストリーミング中のユーザ、及び該８人のユーザ中の各々のユーザに関連するライブストリーミング画像を表示することだけを例とする。該ライブストリーミング端末１２のユーザインターフェースに、検索ボックスを表示することができ、即ち、ユーザは他のユーザのライブストリーミングを鑑賞しようとする時に、該検索ボックスを直接にクリックし、検索ボックスに該その他のユーザの識別子（例えば、ユーザ名）を入力してから、該端末に該その他のユーザのライブストリーミングを直接に表示することができる。
【００６６】
なお、該ライブストリーミング端末に、該ライブストリーミング端末と通信接続を確立する収集デバイスの数であるｎを予め設定され、又は、該ライブストリーミング端末は、ユーザの入力によって、収集デバイスの数であるｎを確定することができる。
【００６７】
ステップ４０２において、標準化サーバは、標準化サーバの少なくとも三つのネットワークアドレスの中から、ｎ個の第１ネットワークアドレスと１個の第２ネットワークアドレスをそれぞれ選択する。
【００６８】
例示的に、標準化サーバに複数の（少なくとも三つ）記憶モジュールを設けることができ、個々の記憶モジュールは一つのネットワークアドレスを備え、該標準化サーバの少なくとも三つのネットワークアドレスは、該標準化サーバ上の少なくとも三つの記憶モジュールのネットワークアドレスである。標準化サーバは、ライブストリーミング端末により送信されたライブストリーミングリクエストを受信してから、まずライブストリーミングリクエストに基づいて収集デバイスの数であるｎを確定することができ、そしてから、該標準化サーバの少なくとも三つのネットワークアドレスの中から、予め設定された方法を用いて、ｎ個の第１ネットワークアドレスと第２ネットワークアドレスを直接に選択することができ、第１ネットワークアドレスと第２ネットワークアドレスは標準化サーバの異なる記憶モジュールをそれぞれ指示している。選択肢として、該予め設定された方法は、ランダム的な選択方法であっても良く、その他の選択方法であっても良く、それについて、本発明では限定しない。
【００６９】
さらに、標準化サーバは、ｎ個の第１ネットワークアドレス及び1個の第２ネットワークアドレスを選別してから、該標準化サーバは、該標準化サーバ上に、ライブストリーミング端末、ｎ個の第１ネットワークアドレス及び１個の第２ネットワークアドレスの対応関係を作成しても良い。例示的に、標準化サーバが得たライブストリーミングユーザ、ｎ個の第１ネットワークアドレス及び１個の第２ネットワークアドレスの対応関係は、表１に示すようになっても良く、ライブストリーミングユーザＭがｎ個の第１ネットワークアドレス（Ａ１、Ａ２…Ａｎ）及び第２ネットワークアドレスＸ１と対応し合うのは、ライブストリーミングユーザＭが該標準化サーバに登録してから、該標準化サーバが、ライブストリーミングユーザＭに、ｎ個の第１ネットワークアドレス（Ａ１、Ａ２…Ａｎ）及び第２ネットワークアドレスＸ１を割り当て、ｎ個の第１ネットワークアドレス（Ａ１、Ａ２…Ａｎ）をライブストリーミングユーザＭの使用しているライブストリーミング端末に送信すると示している。
【００７０】
【表１】
2019503091.tif 000003
【００７１】
ステップ４０３において、標準化サーバはライブストリーミング端末にｎ個の第１ネットワークアドレスを送信する。
【００７２】
標準化サーバはｎ個の第１ネットワークアドレスを選別してから、選別されたｎ個の第１ネットワークアドレスをライブストリーミング端末に直接に送信することができる。例えば、標準化サーバは、選別されたｎ個の第１ネットワークアドレスに基づいて、ｎ個の第１ネットワークアドレスを含むメッセージを生成することができ、ｎ個の第１ネットワークアドレスを含むメッセージをある種の通信プロトコルでライブストリーミング端末に送信する。
【００７３】
ステップ４０４において、ライブストリーミング端末は、ｎ個の収集デバイスにｎ個のライブストリーミング命令をそれぞれ送信し、ライブストリーミング命令毎に一つの第１ネットワークアドレスが含まれている。
【００７４】
ライブストリーミング端末は、標準化サーバにより送信されたｎ個の第１ネットワークアドレスを受信してから、ライブストリーミング端末は、該ｎ個の第１ネットワークアドレスをｎ個の収集デバイスに、それぞれ割り当てることができる。即ち、該ライブストリーミング端末は、収集デバイス毎に一つの第１ネットワークアドレスを割り当てることができ、任意の二つのライブストリーミング端末に割り当てられた第１ネットワークアドレスが異なる。そしてから、ライブストリーミング端末は、収集デバイスに割り当てられた第１ネットワークアドレスを、対応する収集デバイスに送信することができる。例示的に、ライブストリーミング端末は、必要に応じて、ある収集デバイスに第１ネットワークアドレスを送信することができ、第１ネットワークアドレスが含まれているライブストリーミング命令を生成し、第１ネットワークアドレスが含まれているライブストリーミング命令を、対応する収集デバイスに送信する。
【００７５】
ステップ４０５において、ｎ個の収集デバイスの中の個々の収集デバイスは、周囲の環境情報を収集し、マルチメディア情報を得る。
【００７６】
例示的に、該ｎ個の収集デバイスの中の個々の収集デバイスは、収集モジュールを含むことが可能であり、ステップ４０５において、個々の収集デバイスは、収集モジュールによって該収集モジュールの周囲の環境情報を収集することができ、それによってマルチメディア情報が得られ、該ｎ個の収集デバイスはｎ個のマルチメディア情報を収集して得ることができる。
【００７７】
なお、該ｎ個の収集デバイスにより収集されたマルチメディア情報は、異なる視角における同一物体に対応されているマルチメディア情報であっても良く、例えば、ある収集デバイスにより収集して得られたマルチメディア情報は、第１事物の左視角のマルチメディア情報であり、もう一つの収集デバイスにより収集して得されたマルチメディア情報は、第１事物の右視角のマルチメディア情報である。
【００７８】
選択肢として、該ｎ個の収集デバイスにより収集して得されたマルチメディア情報は、異なる物体に対応されているマルチメディア情報であっても良く、例えば、ある収集デバイスにより収集して得されたマルチメディア情報は、第１事物のマルチメディア情報であり、もう一つの収集デバイスにより収集して得されたマルチメディア情報は、第２事物のマルチメディア情報であり、これについて、本発明の実施例では限定しない。
【００７９】
本発明の実施例における収集モジュールは、専門的な撮影モジュールであっても良く、それによって収集されたマルチメディア情報のフォーマットは、高解像度のマルチメディアインターフェース（ＨＤＭＩ：Ｈｉｇｈ  Ｄｅｆｉｎｉｔｉｏｎ  Ｍｕｌｔｉｍｅｄｉａ  Ｉｎｔｅｒｆａｃｅ）フォーマットであっても良く、又はシリアルデジタルインタフェース（ＳＤＩ：ｓｅｒｉａｌ  ｄｉｇｉｔａｌ  ｉｎｔｅｒｆａｃｅ）フォーマットであっても良い。
【００８０】
ステップ４０６において、ｎ個の収集デバイスの中の個々の収集デバイスは、受信されたライブストリーミング命令内の第１ネットワークアドレスに基づいて、標準化サーバにマルチメディア情報を送信する。
【００８１】
選択肢として、個々の収集デバイスはさらに、エンコーディングモジュール及び送信モジュールを含み、収集デバイス内の収集モジュール、エンコーディングモジュール及び送信モジュールはそれぞれ接続されていて、ステップ４０５において、個々の収集デバイスは、収集モジュールによってマルチメディア情報を収集してから、個々の収集モジュールは、該マルチメディア情報をエンコーディングモジュールに直接に送信することができる。
【００８２】
エンコーディングモジュールは、該マルチメディア情報を受信してから、マルチメディア情報に対して直接にエンコーディングを行い、例示的に、マルチメディア情報は、ビデオ情報及びオーディオ情報と含むことが可能である。ここで、エンコーディングされたビデオ情報のフォーマットは、新世帯デジタルビデオ圧縮フォーマットＨ．２６４フォーマットであっても良く、エンコーディングされたオーディオ情報のフォーマットはアドバンスドオーディオエンコーディング（ＡＣＣ：Ａｄｖａｎｃｅｄ  Ａｕｄｉｏ  Ｃｏｄｉｎｇ）フォーマットであっても良い。
【００８３】
エンコーディングモジュールは、マルチメディア情報をエンコーディングしてから、エンコーディングされたマルチメディア情報を送信モジュールに送信することが可能である。例示的に、該送信モジュールは、リアルタイムメッセージ伝送プロトコル（ＲＴＭＰ：Ｒｅａｌ  Ｔｉｍｅ  Ｍｅｓｓａｇｉｎｇ  Ｐｒｏｔｏｃｏｌ）に基づいて情報を伝送することができるモジュールであっても良い。送信モジュールは、エンコーディングされたマルチメディア情報を受信してから、ＲＴＭＰに基づいて、該エンコーディングモジュールが所在する収集デバイスの受信されたライブストリーミング命令内の第１ネットワークアドレスによって、エンコーディングされたマルチメディア情報を標準化サーバに送信し、選択肢として、送信モジュールは、第１ネットワークアドレスに基づいて、エンコーディングされたマルチメディア情報を、標準化サーバ上の該第１ネットワークアドレスにより指示されている記憶モジュールに、送信することができる。なお、該標準化サーバはＲＴＭＰに基づいて、該送信モジュールにより送信されたエンコーディング後のマルチメディア情報を受信することもできる。エンコーディング後のマルチメディア情報には該第１ネットワークアドレスを含むことができる。
【００８４】
即ち、個々の収集デバイス内の送信モジュールは、いずれも標準化サーバにマルチメディア情報を送信することができ、該標準化サーバが、ｎ個の収集デバイスにより送信されたｎ個のマルチメディア情報を受信することができるようにする。
【００８５】
ステップ４０７において、標準化サーバは、受信されたマルチメディア情報を、対応されている第１ネットワークアドレスにより指示されている記憶モジュールに記憶する。
【００８６】
選択肢として、ステップ４０６において、個々の送信モジュールにより標準化サーバに送信されたエンコーディング後のマルチメディア情報はさらに、該送信モジュールが所在する収集デバイスの受信した第１ネットワークアドレスを含むことが可能であり、標準化サーバは、個々の収集デバイスの送信モジュールにより送信されたエンコーディング後のマルチメディア情報を受信してから、受信されたエンコーディング後のマルチメディア情報を、該マルチメディア情報内の第１ネットワークアドレスにより指示されている記憶モジュールに直接に記憶（キャッシュ）することができる。
【００８７】
ステップ４０８において、標準化サーバは、ｎ個のマルチメディア情報に対して第１標準化処理を行う。
【００８８】
第１標準化処理後のｎ個のマルチメディア情報のパラメータは、ライブストリーミング端末の再生パラメータと一致している。標準化サーバは、ｎ個のエンコーディングされたマルチメディア情報を記憶してから、ｎ個のエンコーディングされたマルチメディア情報に対して第１標準化処理を開始することが可能であり、第１標準化処理後のマルチメディア情報をライブストリーミング端末に適用することができるようにする。選択肢として、個々の第１標準化処理後のマルチメディア情報は、いずれも該マルチメディア情報に関連する第１ネットワークアドレスを含むことができる。
【００８９】
例示的に、該標準化サーバは、まずｎ個のエンコーディングされたマルチメディア情報に対してデコーディングを行うことができ、ｎ個のデコーディングされたマルチメディア情報を得る。そして、標準化サーバは、該ライブストリーミング端末の再生パラメータ及びエンコーディングされたマルチメディア情報の数ｎに基づいて、エンコーディングされたマルチメディア情報のパラメータを幾つかに調整する必要があるかを確定し、デコーディングされたマルチメディア情報に対して第１標準化処理を行い、第１標準化処理後のｎ個のマルチメディア情報のパラメータをライブストリーミング端末の再生パラメータ（例えば、解像度と周波数など）と一致させる。ライブストリーミング端末がｎ個の第１標準化処理後のマルチメディア情報を受信してから、ライブストリーミング端末上に同時にｎ個の第１標準化処理後のマルチメディア情報を表示することができるようにする。
【００９０】
なお、本発明の実施例において、収集デバイスが専門的な収集デバイスであるため、専門的な収集デバイスは収集されたビデオ情報の解像度は高く、ビデオ情報、オーディオ情報の周波数も高い。それに対してライブストリーミング端末（例えば、携帯電話）により再生されたビデオ情報の解像度は低く、ビデオ情報、オーディオ情報の周波数も低く、また、ライブストリーミング端末が同時にｎ個のマルチメディア情報に対して再生することを可能にさせるために、個々のマルチメディア情報のライブストリーミング端末のディスプレイスクリーンにおける大きさを調整する必要があるので、標準化サーバは、個々のマルチメディア情報に対して第１標準化処理を行う時に、個々のマルチメディア情報の解像度及び周波数を調整することが可能であり、第１標準化処理後のｎ個のマルチメディア情報のパラメータをライブストリーミング端末の再生パラメータと同じ範囲内にさせ、第１標準化処理後のｎ個のマルチメディア情報を同時にライブストリーミング端末で順調に再生させることができる。
【００９１】
ステップ４０９において、標準化サーバは、ライブストリーミング端末に第１標準化処理後のｎ個のマルチメディア情報を送信する。
【００９２】
なお、標準化サーバが個々のマルチメディア情報を受信した後に、該標準化サーバは、既に作成されているリスト（例えば、表１）を照会することが可能であり、それによって、該マルチメディア情報及び該マルチメディア情報を送信する収集デバイスと該リスト内のライブストリーミングデバイスが関連されるということを確定する。さらに、ｎ個のマルチメディア情報に対して第１標準化処理を行ってから、第１標準化処理後のｎ個のマルチメディア情報をライブストリーミング端末に直接に送信することができる。
【００９３】
ステップ４１０において、ライブストリーミング端末は、第１標準化処理後のｎ個のマルチメディア情報を同時に再生する。
【００９４】
ライブストリーミング端末は、標準化サーバにより送信された第１標準化処理後のｎ個のマルチメディア情報を受信してから、該ｎ個のマルチメディア情報を同時に表示することができる。この時、該ライブストリーミング端末のユーザインターフェースは、図５−２に示す通りであっても良く、本発明の実施例は、該ライブストリーミング端末１２が４個の収集デバイスと同時に接続していることを例とし、この時、該ライブストリーミング端末は、標準化サーバにより送信された第１標準化処理後の４個のマルチメディア情報（それぞれがマルチメディア情報１、マルチメディア情報２、マルチメディア情報３及びマルチメディア情報４である）を受信することができる。そして該ライブストリーミング端末１２は、該４個のマルチメディア情報を同時に再生することができ、個々のマルチメディア情報はビデオ情報とオーディオ情報を組み合わせて得られるものであっても良く、即ち、ステップ４１０において、ライブストリーミング端末１２は、４個のビデオ情報及び４個のオーディオ情報を同時に再生することができる。
【００９５】
例示的に、該ライブストリーミング端末は、携帯電話又はコンピュータであっても良く、ユーザは、携帯電話又はコンピュータ上のライブストリーミングソフトウェアにおいて、標準化サーバに登録してライブストリーミングをすることが可能である。また、ステップ４１０において、携帯電話又はコンピュータ上のライブストリーミングソフトウェアは、ｎ個のマルチメディア情報を同時に再生することができる。又は、ユーザは、携帯電話又はコンピュータ上のウェブページにおいて、標準化サーバに登録することが可能であり、そしてウェブページにおいてｆｌａｓｈ（固体記憶装置と動画エディタ）を用いて、ｎ個のマルチメディア情報を同時に再生する。
【００９６】
ステップ４１１において、ライブストリーミング端末は、ユーザの第１操作によって選択命令を生成する。
【００９７】
ライブストリーミング端末は、該ｎ個のマルチメディア情報を同時に表示する場合、ユーザは、ライブストリーミング端末に対して第１操作を行うことによって、該ライブストリーミング端末が選択命令を生成するようにトリガーする。なお、該選択命令は、ユーザの選択したマルチメディア情報に関連する第１ネットワークアドレス（該第１ネットワークアドレスが、該マルチメディア情報の標準化サーバ上での記憶モジュールを指示することに用いられる）を含むことが可能である。
【００９８】
例示的に、図５−３に示すように、ライブストリーミング端末は、携帯電話であっても良く、携帯電話でｎ個のマルチメディア情報を再生する際に、ユーザ（主催者）は、携帯電話において一つのマルチメディア情報（例えば、マルチメディア情報２）をクリックすることが可能であり、それによって、携帯電話が該マルチメディア情報２に関連する第１ネットワークアドレスを含む選択命令を生成するようにトリガーする。ライブストリーミング端末はコンピュータであっても良く、コンピュータにおいて、ｎ個のマルチメディア情報を同時に再生する際に、ユーザは、コンピュータにおいて、マウスでｎ個のマルチメディア情報内のあるマルチメディア情報（例えばマルチメディア情報２）をクリックすることができ、それによって、携帯電話が該マルチメディア情報２に関連する第１ネットワークアドレスを含む選択命令を生成するようにトリガーする。
【００９９】
ステップ４１２において、ライブストリーミング端末は、標準化サーバに選択命令を送信する。
【０１００】
ライブストリーミング端末は、選択命令を生成してから、ライブストリーミング端末は、該選択命令を標準化サーバに直接に送信することができる。
【０１０１】
ステップ４１３において、標準化サーバは選択命令に従い、ｎ個のマルチメディア情報から初期マルチメディア情報を選択する。
【０１０２】
標準化サーバは、ライブストリーミング端末により送信された選択命令を受信してから、該選択命令に対して解析を行うことが可能であり、それによってユーザより選択されたマルチメディア情報、及び該マルチメディア情報に関連する第１ネットワークアドレスを確定し、そして標準化サーバ上の該第１ネットワークアドレスに記憶されているマルチメディア情報を初期マルチメディア情報であると確定する。
【０１０３】
ステップ４１４において、標準化サーバは、初期マルチメディア情報に対して第２標準化処理を行う。
【０１０４】
第２標準化処理後の初期マルチメディア情報のパラメータが再生端末の再生パラメータと一致する。標準化サーバは、初期マルチメディア情報を確定してから、該初期マルチメディア情報を処理することを開始することが可能であり、それによって、処理後の初期マルチメディア情報を再生端末に適用することができるようにする。例示的に、標準化サーバは、まずステップ４０８においてエンコーディングされた初期マルチメディア情報に対して、デコーディングを行うことができ、デコーディングされた初期マルチメディア情報を得る。そしたら、標準化サーバは、デコーディングされた初期マルチメディア情報に対して、第２標準化処理を行うことができ、第２標準化処理後の初期マルチメディア情報のパラメータを再生端末の再生パラメータ（例えば解像度と周波数など）と一致させる。
【０１０５】
ステップ４１５において、標準化サーバは、第２標準化処理後の初期マルチメディア情報を、第２ネットワークアドレスにより指示されている記憶モジュールに記憶する。
【０１０６】
標準化サーバは、初期マルチメディア情報に対して第２標準化処理を行ってから、第２標準化処理後の初期マルチメディア情報を、予め選択した第２ネットワークアドレスにより指示されている記憶モジュールに、直接に記憶することができる。
【０１０７】
なお、第２標準化処理後の初期マルチメディア情報は、単に第２ネットワークアドレスにより指示されている記憶モジュールでキャッシュするだけである。第２標準化処理後の初期マルチメディア情報が第２ネットワークアドレスにより指示されている記憶モジュールでキャッシュされるのが、予め設定されている時間を経過した場合、該標準化サーバが、該第２ネットワークアドレスにより指示されている記憶モジュール上の第２標準化処理後の処理マルチメディア情報を直接に削除しても良く、又は、該第２標準化処理後の初期マルチメディア情報をその他のサーバに送信してもよい。
【０１０８】
選択肢として、標準化サーバは、初期マルチメディア情報を確定してから、該標準化サーバは、その前に作成された対応関係に対して（例えば表１に示すように）拡張を行うことができ、ライブストリーミングユーザ、ｎ個の第１ネットワークアドレス、第２ネットワークアドレス及びターゲットネットワークアドレスの対応関係を得て、該ターゲットネットワークアドレスは、ｎ個の第１ネットワークアドレス内の初期マルチメディア情報に関連する第１ネットワークアドレスである。
【０１０９】
例示的に、標準化サーバにより得られたライブストリーミングユーザ、ｎ個の第１ネットワークアドレス、第２ネットワークアドレス及びターゲットネットワークアドレスの対応関係は、表２に示す通りであっても良く、例示的に、ライブストリーミングユーザＭ、ｎ個の第１ネットワークアドレス（Ａ１…Ａｎ）、第２ネットワークアドレスＸ１及びターゲットネットワークアドレスＡ５が対応し合うことは、下記のことを示している。ライブストリーミングユーザＭが該標準化サーバに登録した後、該標準化サーバは、ライブストリーミングユーザＭにｎ個の第１ネットワークアドレス（Ａ１…Ａｎ）を割り当て、そして標準化サーバは選択命令に従い、該ｎ個の第１ネットワークアドレスからターゲットネットワークアドレスＡ５を選出し、該ターゲットネットワークアドレスＡ５により指示されている記憶モジュール上のマルチメディア情報を初期マルチメディア情報とする。標準化サーバは、初期マルチメディア情報に対して第２標準化処理を行ってから、該初期マルチメディア情報を第２ネットワークアドレスＸ１により指示されている記憶モジュールに記憶することができる。
【０１１０】
【表２】
2019503091.tif 000004
【０１１１】
ステップ４１６において、再生端末は、標準化サーバに再生リクエストを送信する。
【０１１２】
再生リクエストには第２ネットワークアドレスが含まれている。視聴者は、再生端末で標準化サーバに登録することができ、そして標準化サーバに登録してから標準化サーバと通信接続を確立する。再生端末１３のユーザインターフェースは、図５−４に示すように、本発明の実施例の主催者（即ち、ライブストリーミングユーザ）がライブストリーミングユーザＭである場合、視聴者は、該ユーザインターフェースにおいて、ユーザインターフェース上のライブストリーミングユーザＭの所在区域を直接にクリックすることができ。視聴者が該ユーザインターフェース上のライブストリーミングユーザＭの所在区域をクリックすることによって、再生端末が第２ネットワークアドレスが含まれている再生リクエストを生成するようにトリガーすることができ、該再生リクエストを標準化サーバに送信する。
【０１１３】
ステップ４１７において、標準化サーバは、再生リクエストに基づいて、第２ネットワークアドレスにより指示されている記憶モジュールから、第２標準化処理後の初期マルチメディア情報を取得する。
【０１１４】
例示的に、標準化サーバは、再生端末により送信された再生リクエストを受信してから、該再生リクエストから第２ネットワークアドレスを抽出することができ、第２ネットワークアドレスにより指示されている記憶モジュールから、標準化処理後のマルチメディア情報を取得する。
【０１１５】
ステップ４１８において、標準化サーバは、再生端末に第２標準化処理後の初期マルチメディア情報を送信する。
【０１１６】
標準化サーバはさらに、第２ネットワークアドレスにより指示されている記憶モジュール上のキャッシュされているマルチメディア情報（第２標準化処理後の初期マルチメディア情報）をエンコーディングしてから、リアルタイム的に再生端末に送信することができる。選択肢として、複数の再生端末が同時に標準化サーバに、第２ネットワークアドレスが含まれている再生リクエストを送信した場合、標準化サーバは、ライブストリーミングデリバリメカニズムとコンテンツデリバリネットワーク（ＣＤＮ：Ｃｏｎｔｅｎｔ  Ｄｅｌｉｖｅｒｙ  Ｎｅｔｗｏｒｋ）メカニズムを用いて、第２標準化処理後の初期マルチメディア情報を複数の再生端末に同時に送信することができる。
【０１１７】
ステップ４１９において、再生端末は受信されたマルチメディア情報を再生する。
【０１１８】
再生端末は、マルチメディア情報を受信してから、受信されたマルチメディア情報を再生することできる。例示的に、この時、再生端末１３のユーザインターフェースは図５−５に示す通りであっても良く、この時の主催者はライブストリーミングユーザＭであり、該ユーザインターフェースに、ライブストリーミングユーザＭが現在既にライブストリーミングした時間幅を表示することができ、例えば、ライブストリーミングユーザＭがちょうど１３時からライブストリーミングを開始し、視聴者が１４時４分に再生端末を使用して、ライブストリーミングユーザＭよりライブストリーミングされているマルチメディア情報を再生し始める場合、該視聴者の再生端末のユーザインターフェース上に、該ライブストリーミングユーザＭが既に６４分０秒でライブストリーミングしていることを表示することできる。
【０１１９】
なお、ライブストリーミングユーザＭがライブストリーミングしている中で、該標準化サーバは、該初期マルチメディア情報に関連する第１ネットワークアドレスを記憶することができ、該第１ネットワークアドレスにより指示されている記憶モジュールに、マルチメディア情報を受信したか否かをリアルタイム的に監視し、該第１ネットワークアドレスにより指示されている記憶モジュールに受信されたマルチメディア情報も初期マルチメディア情報とし、該初期マルチメディア情報に対して、デコーディング、第２標準化処理及びエンコーディングを行い、そして第２ネットワークアドレスに記憶し、第２ネットワークアドレスにより指示されている記憶モジュール上の初期マルチメディア情報を再生端末に送信する。
【０１２０】
さらに、図４−２は一つの例示的な実施例に基づいて示されたさらに一つのマルチメディア情報再生方法の方法フローチャートであり、図４−２に示すように、ステップ４１９の後に、該マルチメディア情報再生方法はさらに以下のステップを含むことができる。
【０１２１】
ステップ４２０において、ライブストリーミング端末は、ユーザの第２操作によって、切り替え命令を生成する。
【０１２２】
例示的に、ライブストリーミング端末は、該ｎ個のマルチメディア情報を同時にリアルタイム的に再生することができ、ユーザは、ライブストリーミング端末に対して第２操作を行うことによって、該ライブストリーミング端末が切り替え命令を生成するようにトリガーする。なお、該切り替え命令は、ユーザの選択したマルチメディア情報に関連する第１ネットワークアドレス（該第１ネットワークアドレスが、該マルチメディア情報が標準化サーバ上の記憶モジュールを指示するために用いられる）を含むことができる。
【０１２３】
例示的に、図５−６示すように、ライブストリーミング端末に、現在、再生端末での再生中のマルチメディア情報がマルチメディア情報２であることを表示していて、この時、ユーザ（主催者）が再生中のマルチメディア情報を切り替える必要がある場合、ユーザは、ライブストリーミング端末において、マルチメディア情報２以外のいずれのマルチメディア情報（例えばマルチメディア情報４）をクリックすることが可能であり、それによってライブストリーミング端末が該マルチメディア情報４に関連する第１ネットワークアドレスを含む切り替え命令を生成するようにをトリガーする。
【０１２４】
ステップ４２１において、ライブストリーミング端末は、標準化サーバに切り替え命令を送信する。
【０１２５】
ライブストリーミング端末は、切り替え命令を生成してから、ライブストリーミング端末は、該切り替え命令を標準化サーバに直接に送信することができる。
【０１２６】
ステップ４２２において、標準化サーバは、切り替え命令に従って、ｎ個のマルチメディア情報から、ターゲットマルチメディア情報を選択する。
【０１２７】
標準化サーバは、ライブストリーミング端末により送信された切り替え命令を受信してから、該切り替え命令を解析することが可能であり、それによって、ユーザより選択されたマルチメディア情報、及び該マルチメディア情報に関連する第１ネットワークアドレスを確定し、さらに標準化サーバ上の該第１ネットワークアドレスにより指示されている記憶モジュールに記憶されているマルチメディア情報を、ターゲットマルチメディア情報と確定する。
【０１２８】
ステップ４２３において、標準化サーバは、初期マルチメディア情報をターゲットマルチメディア情報に切り替える。
【０１２９】
例示的に、標準化サーバは、ＦＦｍｐｅｇ（一種のマルチメディアビデオ処理ツール）を介して、初期マルチメディア情報をターゲットマルチメディア情報に切り替えることができ、即ち、この前に記憶している初期マルチメディア情報に関連する第１ネットワークアドレスを、ターゲットマルチメディア情報に関連する第１ネットワークアドレスに切り替え、該ターゲットマルチメディアに関連する第１ネットワークアドレスにより指示されている記憶モジュールに受信されたマルチメディア情報もターゲットマルチメディア情報とする。
【０１３０】
ステップ４２４において、標準化サーバは、ターゲットマルチメディア情報に対して、第２標準化処理を行う。
【０１３１】
標準化サーバは、ターゲットマルチメディア情報を確定してから、該ターゲットマルチメディア情報に対して処理を開始することができ、処理後のターゲットマルチメディア情報を再生端末に適用することができるようにする。例示的に、標準化サーバは、まずターゲットマルチメディア情報に対してデコーディングを行うことができ、デコーディングされたターゲットマルチメディア情報を得る。そしてから、標準化サーバは、デコーディングされたターゲットマルチメディア情報に対して、第２標準化処理を行い、第２標準化処理後のターゲットマルチメディア情報のパラメータを再生端末の再生パラメータ（例えば、解像度と周波数など）と一致させる。
【０１３２】
ステップ４２５において、標準化サーバは、第２標準化処理後のターゲットマルチメディア情報を、第２ネットワークアドレスにより指示されている記憶モジュールに記憶する。
【０１３３】
標準化サーバは、ターゲットマルチメディア情報に対して第２標準化処理を行ってから、第２標準化処理後のターゲットマルチメディア情報を、予め選択された第２ネットワークアドレスにより指示されている記憶モジュールに、直接に記憶することもできる。
【０１３４】
ステップ４２６において、標準化サーバは、第２標準化処理後のターゲットマルチメディア情報を再生端末に送信する。
【０１３５】
標準化サーバはさらに、第２ネットワークアドレスにより指示されている記憶モジュールにキャッシュされているマルチメディア情報（第２標準化処理後のターゲットマルチメディア情報）をエンコーディングしてから、リアルタイム的に再生端末に送信することができる。
【０１３６】
ステップ４２７において、ライブストリーミング端末は、受信されたマルチメディア情報を再生する。
【０１３７】
再生端末は、マルチメディア情報を受信してから、受信されたマルチメディア情報を再生することが可能である。例示的に、この時、再生端末が再生するマルチメディア情報は、ステップ４１９において再生端末により再生されるマルチメディア情報と異なる。
【０１３８】
本発明の実施例において、ユーザは、複数の収集デバイスで複数のマルチメディア情報を収集することができ、また、再生端末がユーザより選択されたマルチメディア情報を再生することを有利にするために、ユーザは、標準化サーバを介して、該複数のマルチメディア情報からマルチメディア情報を選択することができ、それによって、ユーザが標準化サーバを介して、ダイレクタという機能を実現することができる。全てのユーザは、ライブストリーミングする時に、いずれも該標準化サーバを使用してダイレクタを行うことができる。
【０１３９】
上記に説明したように、本発明の実施例により提供されているマルチメディア情報再生方法において、ｎ個の収集デバイスは、異なる視角のマルチメディア情報をそれぞれ収集することができ、標準化サーバは、ライブストリーミング端末により送信された選択命令に従って、異なる視角のマルチメディア情報から、主催者のライブストリーミングしようとする初期マルチメディア情報を選択し、再生端末に該初期マルチメディア情報を送信し、それによって、再生端末が異なる視角のマルチメディア情報を再生することができるようにし、そのため、マルチメディア情報の再生効果を向上させる。
【０１４０】
なお、本発明の実施例により提供されているマルチメディア情報再生方法のステップの前後順序は、適切に調整することが可能であり、状況に応じてステップを増減することも可能であり、当業者は、本発明により開示されている範囲内において、容易に想到し得る変化の方法は、全て本発明の範囲内に含まれ、ここでそれ以上述べない。
【０１４１】
図６−１は、一つの例示的な実施例に基づいて示された標準化サーバ６０の構成を示す図であり、該標準化サーバ６０は、図１に示されているマルチメディア情報再生システム１内の標準化サーバ１１と同様であっても良い。該標準化サーバ６０は、
ｎ個の収集デバイスによりそれぞれ送信されたｎ個のマルチメディア情報を受信し、個々のマルチメディア情報は、対応する収集デバイスにより周囲の環境情報を収集して得られるように構成される第１受信モジュール６１１と、
ライブストリーミング端末により送信された選択命令を受信するように構成される第２受信モジュール６１２と、
選択命令に基づいて、ｎ個のマルチメディア情報から、初期マルチメディア情報を選択するように構成される第１選択モジュール６１３と、
再生端末が初期マルチメディア情報を再生することを有利にするために、再生端末に初期マルチメディア情報を送信するように構成される第１送信モジュール６１４と、
を含むことが可能である。
【０１４２】
上記に説明したように、本発明の実施例により提供されている標準化サーバにおいて、第１選択モジュールは、ライブストリーミング端末により送信された選択命令に従い、ｎ個の収集デバイスでそれぞれ収集された異なる視覚のマルチメディア情報から、主催者のライブストリーミングしようとする初期マルチメディア情報を選択し、第１送信モジュールは、再生端末に該初期マルチメディア情報を送信し、それによって、再生端末が異なる視角のマルチメディア情報を再生することができるようにし、そのため、マルチメディア情報の再生効果を向上させる。
【０１４３】
選択肢として、図６−２は、一つの例示的な実施例に基づいて示された他の標準化サーバ６０の構成を示す図である。図６−１の基礎の上で、該標準化サーバ６０はさらに、
ライブストリーミング端末により送信された切り替え命令を受信するように構成される第３受信モジュール６１５と、
切り替え命令に従い、ｎ個のマルチメディア情報からターゲットマルチメディア情報を選択するように構成される第２選択モジュール６１６と、
再生端末がターゲットマルチメディア情報を再生することを有利にするために、再生端末に送信するマルチメディア情報を、初期マルチメディア情報から、ターゲットマルチメディア情報に切り替え、再生端末にターゲットマルチメディア情報を送信するように構成される切り替えモジュール６１７と、
を含むことが可能である。
【０１４４】
選択肢として、図６−３は、一つの例示的な実施例に基づいて示されたもう一つの標準化サーバ６０の構成を示す図であり、標準化サーバ６０は、少なくとも三つのネットワークアドレスを備えることができる。図６−１の基礎の上で、該標準化サーバ６０はさらに、
ライブストリーミング端末からのライブストリーミングリクエストを受信し、ライブストリーミングリクエストに収集デバイスの数であるｎが含まれているように構成される第４受信モジュール６１８と、
標準化サーバの少なくとも三つのネットワークアドレスの中から、ｎ個の第１ネットワークアドレスおよび１個の第２ネットワークアドレスをそれぞれ選択し、ｎ個の第１ネットワークアドレス及び第２ネットワークアドレスは、標準化サーバ内の異なる記憶モジュールをそれぞれ指示されているように構成される第３選択モジュール６１９と、
ライブストリーミング端末がｎ個の第１ネットワークアドレスをｎ個の収集デバイスにそれぞれ送信することを有利にするために、ライブストリーミング端末にｎ個の第１ネットワークアドレスを送信するように構成される第２送信モジュール６２０と、
ｎ個の収集デバイスによりｎ個の第１ネットワークアドレスに基づいて送信されたマルチメディア情報を受信するようにさらに構成される第１受信モジュール６１１と、
を含むことが可能である。
【０１４５】
選択肢として、図６−４は、一つの例示的な実施例に基づいて示されたさらに一つの標準化サーバ６０の構成を示す図である。図６−３の基礎の上で、該標準化サーバ６０はさらに、
ｎ個のマルチメディア情報を、ｎ個の第１ネットワークアドレスにより指示されている記憶モジュールにそれぞれ記憶するように構成される第１記憶モジュール６２１と、
ｎ個のマルチメディア情報に対して第１標準化処理を行い、第１標準化処理後のｎ個のマルチメディア情報のパラメータが、ライブストリーミング端末の再生パラメータを一致するように構成される第１処理モジュール６２２と、
ライブストリーミング端末が、第１標準化処理後のｎ個のマルチメディア情報を同時に再生し、ユーザの操作によって選択命令を生成することを有利にするために、第１標準化処理後のｎ個のマルチメディア情報をライブストリーミング端末に送信するように構成される第３送信モジュール６２３と、
を含むことができる。
【０１４６】
選択肢として、図６−５は、もう一つの例示的な実施例に基づいて示された標準化サーバ６０の構成を示す図である。図６−３の基礎の上で、該標準化サーバ６０はさらに、
初期マルチメディア情報に対して第２標準化処理を行い、第２標準化処理後の初期マルチメディア情報のパラメータが再生端末の再生パラメータと一致するように構成される第２処理モジュール６２４と、
第２標準化処理後の初期マルチメディア情報を、第２ネットワークアドレスにより指示されている記憶モジュールに記憶するように構成される第２記憶モジュール６２５と、
再生端末の再生リクエストを受信し、再生リクエストに第２ネットワークアドレスが含まれているように構成される第５受信モジュール６２６と、
第２ネットワークアドレスにより指示されている記憶モジュールから、第２標準化処理後の初期マルチメディア情報を取得し、ライブストリーミングデリバリメカニズムとＣＤＮメカニズムを用いて、第２標準化処理後の初期マルチメディア情報を再生端末に送信するようにさらに構成される第１送信モジュール６１４と、
を含むことが可能である。
【０１４７】
選択肢として、個々の収集デバイス収集が得られたマルチメディア情報のフォーマットは、いずれもＨＤＭＩフォーマット又はＳＤＩフォーマットである。
【０１４８】
選択肢として、第１受信モジュール６１１はさらに、ＲＴＭＰに基づいて、ｎ個の収集デバイスによりそれぞれ送信されたｎ個のマルチメディア情報を受信するように構成される。
【０１４９】
上記に説明したように、本発明の実施例により提供される標準化サーバにおいて、第１選択モジュールは、ライブストリーミング端末により送信される選択命令に従い、ｎ個の収集デバイスでそれぞれ収集された異なる視角のマルチメディア情報から、主催者のライブストリーミングしようとする初期マルチメディア情報を選択することができ、第１送信モジュールは、再生端末に該初期マルチメディア情報を送信し、それによって、再生端末が異なる視角のマルチメディア情報を再生することができるようにし、そのため、マルチメディア情報の再生効果を向上させる。
【０１５０】
図７−１は、一つの例示的な実施例に基づいて示されたライブストリーミング端末７０の構成を示す図であり、該ライブストリーミング端末７０が、図１に示されているマルチメディア情報再生システム１内のライブストリーミング端末１２と同様である。該ライブストリーミング端末７０は、
ユーザの第１操作によって選択命令を生成するように構成される第１生成モジュール７２１と、
標準化サーバが、選択命令に従い、ｎ個の収集デバイスで収集されたｎ個のマルチメディア情報から、初期マルチメディア情報を選択し、再生端末に初期マルチメディア情報を送信することを有利にするために、標準化サーバに選択命令を送信するように構成される第１送信モジュール７２２と、
を含むことができる。
【０１５１】
上記に説明したように、本発明の実施例より提供されているライブストリーミング端末において、第１生成モジュールは、ユーザの第１操作によって、選択命令を生成する時に、第１送信モジュールは、標準化サーバに該選択命令を送信することができ、標準化サーバが、ライブストリーミング端末により送信された選択命令に従い、ｎ個の収集デバイスで収集された異なる視角のマルチメディア情報から、主催者のライブストリーミングしようとする初期マルチメディア情報を選択し、再生端末に該初期マルチメディア情報を送信するようにし、それによって、再生端末が異なる視角のマルチメディア情報を再生することができ、そのため、マルチメディア情報の再生効果を向上させる。
【０１５２】
選択肢として、図７−２は、一つの例示的な実施例に基づいて示された他のライブストリーミング端末７０の構成を示す図である。図７−１の基礎の上で、該ライブストリーミング端末７０はさらに、
ユーザの第２操作によって切り替え命令を生成するように構成される第２生成モジュール７２３と、
標準化サーバが、切り替え命令に従い、再生端末に送信するマルチメディア情報を、初期マルチメディア情報から、ターゲットマルチメディア情報に切り替えることを有利にするために、標準化サーバに切り替え命令を送信するように構成される第２送信モジュール７２４と、
を含むことが可能である。
【０１５３】
選択肢として、図７−３は、一つの例示的な実施例に基づいて示されたもう一つのライブストリーミング端末７０の構成を示す図である。図７−１の基層の上で、該ライブストリーミング端末７０はさらに、
標準化サーバが、標準化サーバの少なくとも三つのネットワークアドレスの中から、ｎ個の第１ネットワークアドレス及び１個の第２ネットワークアドレスをそれぞれ選択することを有利にするために、標準化サーバに選択命令を送信する前に、標準化サーバにライブストリーミングリクエストを送信し、ライブストリーミングリクエストに収集デバイスの数であるｎが含まれているように構成される第１送信モジュール７２５と、
標準化サーバにより送信されたｎ個の第１ネットワークアドレスを受信するように構成される第１受信モジュール７２６と、
ｎ個の収集デバイス内の個々の収集デバイスが、マルチメディア情報を収集してから、受信された第１ネットワークアドレスに基づいて、標準化サーバにマルチメディア情報を送信することを有利にするために、ｎ個の収集デバイスに、ｎ個の第１ネットワークアドレスをそれぞれ送信するように構成される第２送信モジュール７２７と、
を含むことが可能である。
【０１５４】
選択肢として、図７−４は、一つの例示的な実施例に基づいて示されたさらに一つのライブストリーミング端末７０の構成を示す図である。７−３の基礎の上で、該ライブストリーミング端末７０はさらに、
標準化サーバにより送信された第１標準化処理後のｎ個のマルチメディア情報を受信し、ｎ個のマルチメディア情報が、ｎ個の第１ネットワークアドレスにより指示されているｎ個の記憶モジュールに記憶されるように構成される第２受信モジュール７２８と、
ユーザインターフェースにおいて、第１標準化処理後のｎ個のマルチメディア情報を同期して再生するように構成される再生モジュール７２９と、
を含むことが可能である。
【０１５５】
選択肢として、ｎ個の収集デバイス内の個々の収集デバイスにより収集されるマルチメディア情報のフォーマットは、いずれもＨＤＭＩフォーマット又はＳＤＩフォーマットである。
【０１５６】
上記に説明したように、本発明の実施例によって提供されているライブストリーミング端末において、第１生成モジュールは、ユーザの第１操作によって選択命令を生成する時に、第１送信モジュールは、標準化サーバに該選択命令に送信することができ、標準化サーバが、ライブストリーミング端末により送信された選択命令に従い、ｎ個の収集デバイスで収集された異なる視角のマルチメディア情報から、主催者のライブストリーミングしようとする初期マルチメディア情報を選択し、再生端末に該初期マルチメディア情報を送信するようにし、それによって、再生端末が異なる視角のマルチメディア情報を再生することができ、そのため、マルチメディア情報の再生効果を向上させる。
【０１５７】
図８は、もう一つの例示的な実施例に基づいて示された他の標準化サーバ８００の構成を示す図であり、該標準化サーバ８００は、図１に示されているマルチメディア情報再生システム１内の標準化サーバ１１であっても良い。図８を参照し、標準化サーバ８００は、１個又は複数のプロセッサーを含む処理コンポーネント８２２、及び記憶装置８３２により代表される記憶装置リソースを含む。記憶装置８３２は、処理コンポーネント８２２によって実行する命令、例えば、アプリケーションプログラムを記憶するように構成される。記憶装置８３２内に記憶されるアプリケーションプログラムは、１個又は１個以上の、それぞれが命令セットに対応しているモジュールを含むことが可能である。それ以外、上記の図２に示されたマルチメディア情報再生方法を実行するように、処理コンポーネント８２２は、命令を実行するように構成される。
【０１５８】
標準化サーバ８００はさらに、標準化サーバ８００の電源管理を行うように構成される一つの電源コンポーネント８２６と、標準化サーバ８００をネットワークに接続するように構成される一つの有線又は無線のネットワークインターフェース８５０と、一つの入力出力（Ｉ／Ｏ）インターフェース８５８とを含むことが可能である。標準化サーバ８００は、記憶装置８３２に記憶されているオペレーションシステム、例えば、Ｗｉｎｄｏｗｓ  Ｓｅｒｖｅｒ（登録商標）ＴＭ、Ｍａｃ  ＯＳ  Ｘ（登録商標）ＴＭ、Ｕｎｉｘ（登録商標）ＴＭ、  Ｌｉｎｕｘ（登録商標）ＴＭ、ＦｒｅｅＢＳＤ（登録商標）ＴＭ又はそれに類似するものに基づいて操作することができる。
【０１５９】
上記に説明したように、本発明の実施例により提供されている標準化サーバにおいて、標準化サーバは、ライブストリーミング端末により送信された選択命令に基づいて、ｎ個の収集デバイスにより収集された異なる視角のマルチメディア情報から、主催者のライブストリーミングしようとする初期マルチメディア情報を選択し、再生端末に該初期マルチメディア情報を送信し、それによって、再生端末が異なる視角のマルチメディア情報を再生することができるようにし、そのため、マルチメディア情報の再生効果を向上させる。
【０１６０】
図９は、もう一つの例示的な実施例に基づいて示されるライブストリーミング端末９００の構成を示す図であり、該ライブストリーミング端末９００は、図１に示されているマルチメディア情報再生システム１内のライブストリーミング端末１２であっても良い。例えば、ライブストリーミング端末９００は、携帯電話、コンピュータ、デジタル放送端末、メッセージ送受信デバイス、ゲームコンソール、タブレットデバイス、医療デバイス、フィットネスデバイス、個人用デジタル補助装置などであっても良い。
【０１６１】
図９を参照し、ライブストリーミング端末９００は、処理コンポーネント９０２、記憶装置９０４、電源コンポーネント９０６、マルチメディアコンポーネント９０８、オーディオコンポーネント９１０、入力／出力（Ｉ／Ｏ）インターフェース９１２、センサコンポーネント９１４、及び通信コンポーネント９１６のような一つ又は複数のコンポーネントを含むことが可能である。
【０１６２】
処理コンポーネント９０２は、通常、ライブストリーミング端末９００の全体操作、例えば表示、電話コール、データ通信、カメラ操作及び記録操作と関連する操作を制御する。上記の方法の全部又は一部のステップを完成させるように、処理コンポーネント９０２は、１個又は複数のプロセッサー９２０を含んで命令を実行することができる。また、処理コンポーネント９０２とその他のコンポーネントとのインタラクションを有利にするために、処理コンポーネント９０２は、１個又は複数のモジュールを含むことが可能である。例えば、マルチメディアコンポーネント９０８と処理コンポーネント９０２とのインタラクションを有利にするために、処理コンポーネント９０２は、マルチメディアモジュールを含むことが可能である。
【０１６３】
記憶装置９０４は、ライブストリーミング端末９００における操作をサポートするように各種形式のデータを記憶するように構成される。これらのデータの例示は、ライブストリーミング端末９００における操作のためのあらゆるアプリケーションプログラムまたは方法の命令、連絡先データ、電話帳データ、メッセージ、画像、ビデオなどを含む。記憶装置９０４は、あらゆるタイプの揮発性記憶装置又は不揮発性記憶装置のデバイス、又はそれらの組み合わせ、例えばスタティックランダムアクセスメモリ（ＳＲＡＭ）、電気消去可能プログラマブル読取り専用メモリ（ＥＥＰＲＯＭ（登録商標））、消去可能プログラマブル読出し専用メモリ（ＥＰＲＯＭ）、プログラム可能な読み取り専用メモリ（ＰＲＯＭ）、読み取り専用メモリ（ＲＯＭ）、磁気メモリ、フラッシュメモリ、磁気ディスク又はコンパクトディスクによって、実現されることが可能である。
【０１６４】
電源コンポーネント９０６は、ライブストリーミング端末９００の各種コンポーネントに電力を提供する。電源コンポーネント９０６は、電源管理システム、１個または複数の電源、及びライブストリーミング端末９００の生成、管理及び電力の割り当てと関係するその他のコンポーネントを含むことが可能である。
【０１６５】
マルチメディアコンポーネント９０８は、前記ライブストリーミング端末９００とユーザとの間で一つの出力インターフェースを提供するスクリーンを含む。幾つかの実施例において、スクリーンは、液晶ディスプレー（ＬＣＤ：Ｌｉｑｕｉｄ  Ｃｒｙｓｔａｌ  Ｄｉｓｐｌａｙ）及びタッチパネル（ＴＰ：ｔｏｕｃｈ  ｐａｎｅｌ）を含むことが可能である。スクリーンがタッチパネルを含む場合、ユーザからの入力信号を受信するように、スクリーンはタッチスクリーンとして実現されても良い。タッチパネルは、タッチ、スライド及びタッチパネル上での手振りを感知するように１個又は複数のタッチセンサを含む。前記タッチセンサは、タッチ或いはスライドの動作の境界を感知することができるだけではなく、前記タッチ或いはスライドの操作に関連する持続時間と圧力も感知する。幾つかの実施例において、マルチメディアコンポーネント９０８は、一つの前置撮影カメラ及び／又は後置撮影カメラを含む。ライブストリーミング端末９００が操作モード、例えば、撮影モード又はビデオモードにおける場合、前置撮影カメラ及び／又は後置撮影カメラは、外部マルチメディアのデータを受け取ることができる。個々の前置撮影カメラ及び後置撮影カメラは、一つの固定の光学レンズシステムであっても良く、又はフォーカルレングス及び光学可変焦点の能力を備える。
【０１６６】
オーディオコンポーネント９１０は、オーディオ信号を入力及び／又は出力するように構成される。例えば、オーディオコンポーネント９１０は、一つのマイク（ＭＩＣ：Ｍｉｃｒｏｐｈｏｎｅ）を含み、ライブストリーミング端末９００が操作モードにおける場合、例えばコールモード、記録モード及び音声認識モードである場合、マイクは、外部オーディオ信号を受け取るように構成される。受け取られたオーディオ信号は、さらに記憶装置９０４に記憶され、又は通信コンポーネント９１６を介して送信することができる。幾つかの実施例において、オーディオコンポーネント９１０はさらに、一つのスピーカーを含み、オーディオ信号を出力するように用いられる。
【０１６７】
Ｉ／Ｏインターフェース９１２は、処理コンポーネント９０２と周辺インターフェースモジュールとの間に、インターフェースを提供し、上記の周辺インターフェースモジュールは、キーボード、クリックホイール、ボタンなどであっても良い。これらのボタンは、ホームページのボタン、ボリュームボタン、起動ボタン及びロックボタンを含むことが可能であるが、それらに限定しない。
【０１６８】
センサコンポーネント９１４は、１個又は複数のセンサを含み、ライブストリーミング端末９００に各種の状態評価を提供するために用いられる。例えば、センサコンポーネント９１４は、ライブストリーミング端末９００の開／閉状態、コンポーネントの相対定位を検出することができ、例えば、前記コンポーネントがライブストリーミング端末９００のディスプレイとキーボードであり、センサコンポーネント９１４は、ライブストリーミング端末９００又はライブストリーミング端末９００の一つのコンポーネントの位置変化、ユーザとライブストリーミング端末９００とのタッチがあるか否か、ライブストリーミング端末９００の位置又は加速／減速、及びライブストリーミング端末９００の温度変化も検出することができる。センサコンポーネント９１４は、近接センサを含むことができ、いずれの物理的な接触が発生しない場合、周囲の物体の存在を検出するために用いられるように構成される。センサコンポーネント９１４はさらに光センサ、例えばＣＭＯＳ又はＣＣＤ画像センサを含むことができ、撮像アプリケーションにおいて使用することに用いられる。幾つかの実施例において、該センサコンポーネント９１４はさらに、加速度センサ、ジャイロセンサ、磁気センサ、圧力センサ又は温度センサを含むことが可能である。
【０１６９】
通信コンポーネント９１６は、ライブストリーミング端末９００とその他のデバイスとの間に有線又は無線方式の通信を有利にさせるように構成される。ライブストリーミング端末９００は、通信規格に基づく無線ネットワーク、例えばＷｉＦｉ、２Ｇ又は３Ｇ、或いはそれらの組み合わせにアクセスすることができる。一つの例示的な実施例において、通信コンポーネント９１６は、ブロードキャストチャネルを介して、外部ブロードキャスト管理システムからのブロードキャスト信号を受信し、又は相関情報をブロードキャストする。一つの例示的な実施例において、前記通信コンポーネント９１６はさらに、近距離無線通信（ＮＦＣ：Ｎｅａｒ  Ｆｉｅｌｄ  Ｃｏｍｍｕｎｉｃａｔｉｏｎ）モジュールを含み、短距離通信を促進させる。例えば、ＮＦＣモジュールは、無線周波数識別（ＲＦＩＤ：Ｒａｄｉｏ Ｆｒｅｑｕｅｎｃｙ Ｉｄｅｎｔｉｆｉｃａｔｉｏｎ）技術、赤外線データ通信（ＩｒＤＡ：Ｉｎｆｒａｒｅｄ  Ｄａｔａ  Ａｓｓｏｃｉａｔｉｏｎ）技術、超広帯域無線（ＵＷＢ：Ｕｌｔｒａ  Ｗｉｄｅｂａｎｄ）技術、ブルートゥース（登録商標）（ＢＴ：Ｂｌｕｅｔｏｏｔｈ）技術及びその他の技術に基づいて実現されることが可能である。
【０１７０】
例示的な実施例において、ライブストリーミング端末９００は、１個又は複数のアプリケーション専用集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、デジタルシグナルプロセッサ（ＤＳＰ：Ｄｉｇｉｔａｌ  Ｓｉｇｎａｌ  Ｐｒｏｃｅｓｓｉｎｇ）、デジタル信号処理デバイス（ＤＳＰＤ：Ｄｉｇｉｔａｌ  Ｓｉｇｎａｌ  Ｐｒｏｃｅｓｓｉｎｇ  ｄｅｖｉｃｅ）、プログラム可能なロジックデバイス（ＰＬＤ：ｐｒｏｇｒａｍｍａｂｌｅ  ｌｏｇｉｃ  ｄｅｖｉｃｅ）、フィールドプログラマブルゲートアレイ（ＦＰＧＡ：Ｆｉｅｌｄ−Ｐｒｏｇｒａｍｍａｂｌｅ  Ｇａｔｅ  Ａｒｒａｙ）、コントローラ、マイクロコントローラ、マイクロプロセッサー又はその他の回路によって実現されることが可能であり、上記方法を実行することに用いられる。
【０１７１】
例示的な実施例において、さらに、命令を含む非一時的コンピュータ読み取り可能記憶媒体、例えば、命令を含んでいる記憶装置９０４を提供し、上記命令は、ライブストリーミング端末９００のプロセッサー９２０によって実行され、上記方法を完成させる。例えば、前記非一時的コンピュータ読み取り可能記憶媒体は、ＲＯＭ、ランダムアクセスメモリー（ＲＡＭ）、ＣＤ−ＲＯＭ、磁気テープ、フロッピー（登録商標）ディスク及び光学データ記憶装置などであっても良い。
【０１７２】
非一時的コンピュータ読み取り可能記憶媒体であって、前記記憶媒体内の命令がライブストリーミング端末９００のプロセッサーによって実行される時に、ライブストリーミング端末９００がマルチメディア情報再生方法を実行することができるようにする。前記方法は、
ｎ個の収集デバイスによりそれぞれ送信されたｎ個のマルチメディア情報を受信することと、
ライブストリーミング端末により送信された選択命令を受信することと、
選択命令に従い、ｎ個のマルチメディア情報から初期マルチメディア情報を選択することと、
再生端末が初期マルチメディア情報を再生することを有利にするために、再生端末に初期マルチメディア情報を送信することと、
を含み、個々のマルチメディア情報は、対応する収集デバイスにより周囲の環境情報を収集して得られるものである。
【０１７３】
選択肢として、該方法はさらに、
ライブストリーミング端末により送信された切り替え命令を受信することと、
切り替え命令に従い、ｎ個のマルチメディア情報からターゲットマルチメディア情報を選択することと、
再生端末がターゲットマルチメディア情報を再生することを有利にするために、再生端末に送信するマルチメディア情報を、初期マルチメディア情報から、ターゲットマルチメディア情報に切り替え、再生端末にターゲットマルチメディア情報を送信することと、
を含むことが可能である。
【０１７４】
選択肢として、標準化サーバは少なくとも三つのネットワークアドレスを備え、該方法はさらに、
ライブストリーミング端末からの、収集デバイスの数であるｎが含まれているライブストリーミングリクエストを受信することと、
標準化サーバの少なくとも三つのネットワークアドレスの中から、ｎ個の第１ネットワークアドレス及び１個第２ネットワークアドレスをそれぞれ選択し、ｎ個の第１ネットワークアドレス及び第２ネットワークアドレスは、標準化サーバ内の異なる記憶モジュールに指示していることと、
ライブストリーミング端末が、ｎ個の第１ネットワークアドレスをｎ個の収集デバイスにそれぞれ送信することを有利にするために、ライブストリーミング端末にｎ個の第１ネットワークアドレスを送信することと、
ｎ個の収集デバイスによりそれぞれ送信されたｎ個のマルチメディア情報を受信することと、
を含むことが可能であり、ｎ個の収集デバイスによりそれぞれ送信されたｎ個のマルチメディア情報を受信することは、
ｎ個の収集デバイスにより、ｎ個の第１ネットワークアドレスに基づいて、それぞれ送信されたマルチメディア情報を受信すること、
を含む。
【０１７５】
選択肢として、該方法はさらに、
ｎ個のマルチメディア情報をｎ個の第１ネットワークアドレスにより指示されている記憶モジュールにそれぞれ記憶することと、
ｎ個のマルチメディア情報に対して第１標準化処理を行い、第１標準化処理後のｎ個のマルチメディア情報のパラメータがライブストリーミング端末の再生パラメータと一致することと、
ライブストリーミング端末が第１標準化処理後のｎ個のマルチメディア情報を同時に再生し、ユーザの操作によって選択命令を生成することを有利にするために、第１標準化処理後のｎ個のマルチメディア情報をライブストリーミング端末に送信することと、
を含むことが可能である。
【０１７６】
選択肢として、該方法はさらに、
初期マルチメディア情報に対して第２標準化処理を行い、第２標準化処理後の初期マルチメディア情報のパラメータが再生端末の再生パラメータを一致することと、
第２標準化処理後の初期マルチメディア情報を、第２ネットワークアドレスにより指示されている記憶モジュールに記憶することと、
再生端末からの再生リクエストを受信し、再生リクエストに第２ネットワークアドレスが含まれていることと、
再生端末に初期マルチメディア情報を送信することと、
を含み、再生端末に初期マルチメディア情報を送信することとは、
第２ネットワークアドレスにより指示されている記憶モジュールから、第２標準化処理後の初期マルチメディア情報を取得することと、
ライブストリーミングデリバリメカニズムとコンテンツデリバリネットワークＣＤＮメカニズムを用いて、第２標準化処理後の初期マルチメディア情報を再生端末に送信することと、
を含むことが可能である。
【０１７７】
選択肢として、該方法はさらに、
個々の収集デバイスにより収集されるマルチメディア情報のフォーマットは、いずれも高解像度のマルチメディアインターフェース（ＨＤＭＩ）フォーマット、又はシリアルデジタルインタフェース（ＳＤＩ）フォーマットである、
を含むことが可能である。
【０１７８】
選択肢として、該方法はさらに、
ｎ個の収集デバイスにより送信されたｎ個のマルチメディア情報を受信すること、
を含むことが可能であり、ｎ個の収集デバイスにより送信されたｎ個のマルチメディア情報を受信することは、
リアルタイムメッセージ伝送プロトコルＲＴＭＰに基づいて、ｎ個の収集デバイスによりそれぞれ送信されたｎ個のマルチメディア情報を受信すること、
を含む。
【０１７９】
上記に説明したように、本発明の実施例により提供されているマルチメディア情報再生方法において、標準化サーバは、ライブストリーミング端末により送信された選択命令に基づいて、ｎ個の収集デバイスにより収集された異なる視角のマルチメディア情報から、主催者のライブストリーミングしようとする初期マルチメディア情報を選択し、再生端末に該初期マルチメディア情報を送信し、それによって、再生端末が異なる視角のマルチメディア情報を再生することができるようにし、そのため、マルチメディア情報の再生効果を向上させる。
【０１８０】
当業者は、上記に記載されているマルチメディア情報再生方法の実施例、標準化サーバの実施例、及びライブストリーミング端末の実施例は参考し合うことが可能であることを、明確に理解すべきであり、説明の便利と簡潔のために、ここでそれ以上を述べない。
【０１８１】
当業者は、明細書を考慮し、及びここで開示されている発明を実現した後、本発明のその他の実施形態を容易に想到し得ることになる。本出願は、本発明のいずれの変形、用途又は適応性な変化をカバーすることを意図し、これらの変形、用途、又は適応性な変化は、本発明の一般性の原理に適従し、そして本発明の開示されていない本技術領域における一般知識又は慣用技術手段も含む。明細書と実施例は、単なる例示的なものと見なされ、本発明の範囲と精神は特許請求範囲によって示される。
【０１８２】
なお、本発明は、上記に記載されて、図面に示されている明確な構成に限らず、その範囲を逸脱せず各種の改修と変化を行うことができる。本発明の範囲は、特許請求範囲のみによって制限される。
【図１】
2019503091.tif 000005
【図２】
2019503091.tif 000006
【図３】
2019503091.tif 000007
【図４−１】
2019503091.tif 000008
【図４−２】
2019503091.tif 000009
【図５−１】
2019503091.tif 000010
【図５−２】
2019503091.tif 000011
【図５−３】
2019503091.tif 000012
【図５−４】
2019503091.tif 000013
【図５−５】
2019503091.tif 000014
【図５−６】
2019503091.tif 000015
【図６−１】
2019503091.tif 000016
【図６−２】
2019503091.tif 000017
【図６−３】
2019503091.tif 000018
【図６−４】
2019503091.tif 000019
【図６−５】
2019503091.tif 000020
【図７−１】
2019503091.tif 000021
【図７−２】
2019503091.tif 000022
【図７−３】
2019503091.tif 000023
【図７−４】
2019503091.tif 000024
【図８】
2019503091.tif 000025
【図９】
2019503091.tif 000026
【国際調査報告】
2019503091.tif 000027
2019503091.tif 000028
2019503091.tif 000029
2019503091.tif 000030
2019503091.tif 000031